(57)【要約】  【課題】投影機能を備えることで、撮影された画像を大きな画面で再生することができる。  【解決手段】被写体像を撮像素子へ結像させる撮影光学系が収納されたレンズユニット１４を、撮像素子５０と、撮像素子５０と並列に配設された光源５２及び再生画像パネル５４に対して平行移動させる。これにより、レンズユニット１４と撮像素子５０とが同一の光軸上に配置され、被写体像を撮像素子５０に結像する撮影状態と、レンズユニット１４と光源５２及び再生画像パネル５４とが同一の光軸上に配置され、投影画像を外部の投影面に投影する投影状態との切り替えが行われる。これにより、撮影された画像を大画面で再生することができ、撮影された画像を多人数で視聴することが可能となる。【選択図】  図３
2009100183.tif 000002
【特許請求の範囲】
【請求項１】
被写体像を撮像素子へ結像させる光学系と、
前記撮像素子で撮像された画像を記録する記録手段と、
光源と、該光源から射出された光束を画像情報に応じて変調して投影画像を形成する光変調装置とで構成され、前記記録手段に記録された画像のうちの所望の画像を外部の投影面に投影する投影手段であって、前記撮像素子と並列に配設された投影手段と、
前記光学系を、撮影光学系として使用するか、前記光変調装置により形成された投影画像を投影する投影光学系として使用するかの切り替えを行う切替手段と、
を備えた投影機能付き撮像装置であって、
前記切替手段は、前記光学系が収納されたレンズ鏡胴、又は前記撮像素子及び前記投影手段が一体となったユニットを平行移動させる移動機構を有し、
前記移動機構により前記レンズ鏡胴又は前記ユニットを平行移動することにより、前記光学系と前記撮像素子とが同一の光軸上に配置された撮影状態と、前記光学系と前記投影手段とが同一の光軸上に配置された投影状態との切り替えを行う
ことを特徴とする投影機能付き撮像装置。
【請求項２】
撮像素子と、前記撮像素子に被写体像を結像させる撮影光学系とを有する撮影ユニットと、
光源と、該光源から射出された光束を画像情報に応じて変調して投影画像を形成する光変調装置と、該光変調装置により形成された投影画像を外部の投影面に投影する投影光学系とを有する投影ユニットと、
前記撮影ユニット又は前記投影ユニットを着脱可能にするマウントと、前記撮像素子で撮像された画像を記録する記録手段と、を有するカメラ本体と、
を備え、
前記投影ユニットは、前記記録手段に記録された画像のうちの所望の画像を前記投影画像として投影することを特徴とするレンズ交換式撮像装置。
【請求項３】
前記撮影ユニット及び前記投影ユニットは、
前記マウントに着脱可能な第１のユニットであって、前記撮像素子が収納された第１のユニットと、
前記マウントに着脱可能な第２のユニットであって、前記光源及び前記光変調装置が収納された第２のユニットと、
前記撮影光学系及び前記投影光学系として使用可能な光学系が収納され、前記第１のユニット又は前記第２のユニットが着脱可能な第３のユニットであって、前記第１のユニットが取り付けられると前記撮影ユニットとして機能し、前記第２のユニットが取り付けられると前記投影ユニットとして機能する第３のユニットと、
で構成されることを特徴とする請求項２に記載のレンズ交換式撮像装置。
【請求項４】
前記撮影光学系及び前記投影光学系は屈曲光学系であることを特徴とする請求項２又は３に記載のレンズ交換式撮像装置。
【請求項５】
前記カメラ本体は、
撮影ユニット及び投影ユニットのどちらが前記マウントに取り付けられたかを判定するユニット判別手段と、
前記ユニット判別手段において前記撮影ユニットが前記マウントに取り付けられたと判定された場合には撮影を行い、前記ユニット判別手段において前記投影ユニットが取り付けられたと判断された場合には投影を行うように制御する制御手段と、
を更に備えたことを特徴とする請求項２から４のいずれかに記載のレンズ交換式撮像装置。
【請求項６】
前記カメラ本体は、前記マウントを複数備え、
前記カメラ本体には、前記複数のマウントを介して、複数の前記撮影ユニット又は前記投影ユニットが取り付けられることを特徴とする請求項２から５のいずれかに記載のレンズ交換式撮像装置。
【請求項７】
複数の撮像素子と、
被写体像を前記撮像素子へ結像させる撮影光学系であって、前記複数の撮像素子毎に配設されている複数の撮影光学系と、
前記撮像素子で撮像された画像を記録する記録手段と、
光源と、該光源から射出された光束を画像情報に応じて変調して投影画像を形成する光変調装置と、該光変調装置により形成された投影画像を投影する投影光学系とで構成され、前記記録手段に記録された画像のうちの所望の画像を外部の投影面に投影する複数の投影手段であって、前記光束の光軸と、前記撮影光学系の撮影光軸とが交差するように配設された複数の投影手段と、
を備えたことを特徴とする投影機能付き複眼撮像装置。
【請求項８】
前記撮影光学系及び前記投影光学系として同一の光学系が使用される投影機能付き複眼撮像装置であって、
前記光学系を、前記撮影光学系として使用するか、前記投影光学系として使用するかの切り替えを行う切替手段を備えたことを特徴とする請求項７に記載の投影機能付き複眼撮像装置。
【請求項９】
前記複数の撮像素子で撮像された複数枚の画像から立体画像又はパノラマ画像を作成する画像処理手段を備え、
前記複数の投影手段は、前記画像処理手段により作成された立体画像又はパノラマ画像を投影することを特徴とする請求項７又は８に記載の投影機能付き複眼撮像装置。
【請求項１０】
複数の視点から見た被写体像を撮影又は投影する多視点画像モードと、１つの視点から見た被写体像を撮影又は投影する１視点画像モードとを切り替える動作モード切替手段を更に備えたことを特徴とする請求項７から９のいずれかに記載の投影機能付き複眼撮像装置。
【発明の詳細な説明】
【技術分野】
【０００１】
本発明は投影機能付き撮像装置、レンズ交換式撮像装置及び投影機能付き複眼撮像装置に係り、特に撮影した画像を外部の投影面に投影して再生する投影機能付き撮像装置、レンズ交換式撮像装置及び投影機能付き複眼撮像装置に関する。
【背景技術】
【０００２】
特許文献１には、画像を投影する側の光学系の光軸と、撮影用の光軸の交差部に可動ミラーを配置し、可動ミラーの位置を動かすことにより投影と撮影との切り替えを行う光学装置が提案されている。
【０００３】
特許文献２には、着脱可能なアタッチメントをレンズの先端に取り付けることで、投影画像を反射させて装置内部の投影面上に投影させ、投影された画像をプリズムなどを介して接眼レンズに導くことで、投影画像が観察可能な観察装置が提案されている。
【０００４】
特許文献３には、光路内にある撮像素子を光路外に退避させ、複数の反射鏡を用いて投影画像を撮影レンズ兼用投影レンズに導くことで、プロジェクタとして使用可能なデジタルカメラが提案されている。
【特許文献１】特開２００５―１７３５１４号公報
【特許文献２】特開平９―１０５８８４号公報
【特許文献３】特開２００６―１３５８９４号公報
【発明の開示】
【発明が解決しようとする課題】
【０００５】
しかしながら、上記特許文献１に記載された光学装置では、投影の光軸と撮影の光軸とが交差しているため、装置が大型化されるという問題がある。
【０００６】
上記特許文献２に記載された観察装置では、撮像素子を用いての撮影は考慮されていない。また、特許文献２に記載された観察装置では接続するアタッチメントが必要であり、最適なレンズ調整が難しいため、高画素化への対応が難しいという問題がある。
【０００７】
また、上記特許文献３に記載されたデジタルカメラでは、撮像素子を移動させることにより撮影と投影との切り替えの度に光学系の調整が必要となり、最適なレンズ補正が難しいという問題がある。
【０００８】
本発明はこのような事情に鑑みてなされたもので、投影機能を備えることで、撮影された画像を大きな画面で再生することができる投影機能付き撮像装置、レンズ交換式撮像装置及び投影機能付き複眼撮像装置を提供することを目的とする。
【課題を解決するための手段】
【０００９】
前記目的を達成するために、請求項１に記載の投影機能付き撮像装置は、被写体像を撮像素子へ結像させる光学系と、前記撮像素子で撮像された画像を記録する記録手段と、光源と、該光源から射出された光束を画像情報に応じて変調して投影画像を形成する光変調装置とで構成され、前記記録手段に記録された画像のうちの所望の画像を外部の投影面に投影する投影手段であって、前記撮像素子と並列に配設された投影手段と、前記光学系を、撮影光学系として使用するか、前記光変調装置により形成された投影画像を投影する投影光学系として使用するかの切り替えを行う切替手段と、を備えた投影機能付き撮像装置であって、前記切替手段は、前記光学系が収納されたレンズ鏡胴、又は前記撮像素子及び前記投影手段が一体となったユニットを平行移動させる移動機構を有し、前記移動機構により前記レンズ鏡胴又は前記ユニットを平行移動することにより、前記光学系と前記撮像素子とが同一の光軸上に配置された撮影状態と、前記光学系と前記投影手段とが同一の光軸上に配置された投影状態との切り替えを行うことを特徴とする。
【００１０】
請求項１に記載の投影機能付き撮像装置によれば、被写体像を撮像素子へ結像させる撮影光学系が収納されたレンズ鏡胴、又は撮像素子及び撮像素子と並列に配設された投影手段が一体となったユニットを平行移動させることにより、撮影光学系と撮像素子とが同一の光軸上に配置され、被写体像を撮像素子に結像する撮影状態か、撮影光学系と投影手段とが同一の光軸上に配置され、投影画像を外部の投影面に投影する投影状態かの切り替えが行われる。投影手段は、光源と、該光源から射出された光束を画像情報に応じて変調して投影画像を形成する光変調装置とで構成され、撮像素子で撮影された画像のうちの所望の画像を外部の投影面に投影する。これにより、撮影された画像を大画面で再生することができ、撮影された画像を多人数で視聴することが可能となる。
【００１１】
請求項２に記載の投影機能付きレンズ交換式撮像装置は、撮像素子と、前記撮像素子に被写体像を結像させる撮影光学系とを有する撮影ユニットと、光源と、該光源から射出された光束を画像情報に応じて変調して投影画像を形成する光変調装置と、該光変調装置により形成された投影画像を外部の投影面に投影する投影光学系とを有する投影ユニットと、前記撮影ユニット又は前記投影ユニットを着脱可能にするマウントと、前記撮像素子で撮像された画像を記録する記録手段と、を有するカメラ本体と、を備え、前記投影ユニットは、前記記録手段に記録された画像のうちの所望の画像を前記投影画像として投影することを特徴とする。
【００１２】
請求項２に記載のレンズ交換式撮像装置によれば、撮影ユニット又は投影ユニットを着脱可能にするマウントと、撮像素子で撮像された画像を記録する記録手段と、を有するカメラ本体に撮影ユニットを取り付けて撮影を行い、当該カメラ本体に投影ユニットを取り付けることにより、記録手段に記録された画像のうちの所望の画像を外部の投影面に投影する。これにより、通常のレンズ交換と同じ作業で、撮影された画像を大画面で再生することができる。
【００１３】
請求項３に記載のレンズ交換式撮像装置は、請求項２に記載のレンズ交換式撮像装置において、前記撮影ユニット及び前記投影ユニットは、前記マウントに着脱可能な第１のユニットであって、前記撮像素子が収納された第１のユニットと、前記マウントに着脱可能な第２のユニットであって、前記光源及び前記光変調装置が収納された第２のユニットと、前記撮影光学系及び前記投影光学系として使用可能な光学系が収納され、前記第１のユニット又は前記第２のユニットが着脱可能な第３のユニットであって、前記第１のユニットが取り付けられると前記撮影ユニットとして機能し、前記第２のユニットが取り付けられると前記投影ユニットとして機能する第３のユニットと、で構成されることを特徴とする。
【００１４】
請求項３に記載のレンズ交換式撮像装置によれば、、撮影光学系及び前記投影光学系として使用可能な光学系が収納された第３のユニットに撮像素子が収納された第１のユニットが取り付けられると、第１のユニット及び第３のユニットは撮影ユニットとして機能し、第３のユニットに光源及び光変調装置が収納された第２のユニットが取り付けられると、第２のユニット及び第３のユニットは投影ユニットとして機能する。これにより、レンズ部のコストダウンを図ることができる。
【００１５】
請求項４に記載のレンズ交換式撮像装置は、請求項２又は３に記載のレンズ交換式撮像装置において、前記撮影光学系及び前記投影光学系は屈曲光学系であることを特徴とする。
【００１６】
請求項４に記載のレンズ交換式撮像装置によれば、屈曲光学系の撮影光学系及び投影光学系を用いて、撮影又は投影が行われる。これにより、光路を長く取ることができ、また装置本体を薄型化することができる。
【００１７】
請求項５に記載のレンズ交換式撮像装置は、請求項２から４のいずれかに記載のレンズ交換式撮像装置において、撮影ユニット及び投影ユニットのどちらが前記マウントに取り付けられたかを判定するユニット判別手段と、前記ユニット判別手段において前記撮影ユニットが前記マウントに取り付けられたと判定された場合には撮影を行い、前記ユニット判別手段において前記投影ユニットが取り付けられたと判断された場合には投影を行うように制御する制御手段と、を更に備えたことを特徴とする。
【００１８】
請求項５に記載のレンズ交換式撮像装置によれば、撮影ユニット及び投影ユニットのどちらがマウントに取り付けられたかを判定し、撮影ユニットがマウントに取り付けられたと判定された場合には撮影を行い、投影ユニットが取り付けられたと判断された場合には投影を行うように制御される。これにより、自動的に撮影と投影との切り替えを行うことができる。
【００１９】
請求項６に記載のレンズ交換式撮像装置は、請求項２から５のいずれかに記載のレンズ交換式撮像装置において、前記カメラ本体は、前記マウントを複数備え、前記カメラ本体には、前記複数のマウントを介して、複数の前記撮影ユニット又は前記投影ユニットが取り付けられることを特徴とする。
【００２０】
請求項６に記載のレンズ交換式撮像装置によれば、カメラ本体に配設された複数のマウントを介して、複数の撮影ユニット又は投影ユニットが取り付けられる。これにより、別々の画像を同時に撮影、投影したり、立体画像やパノラマ画像を撮影、投影したりすることができる。
【００２１】
請求項７に記載の投影機能付き複眼撮像装置は、複数の撮像素子と、被写体像を前記撮像素子へ結像させる撮影光学系であって、前記複数の撮像素子毎に配設されている複数の撮影光学系と、前記撮像素子で撮像された画像を記録する記録手段と、光源と、該光源から射出された光束を画像情報に応じて変調して投影画像を形成する光変調装置と、該光変調装置により形成された投影画像を投影する投影光学系とで構成され、前記記録手段に記録された画像のうちの所望の画像を外部の投影面に投影する複数の投影手段であって、前記光束の光軸と、前記撮影光学系の撮影光軸とが交差するように配設された複数の投影手段と、を備えたことを特徴とする。
【００２２】
請求項７に記載の投影機能付き複眼撮像装置によれば、撮影光軸と投影光軸とが交差するように、撮像素子と、撮影光学系と、投影手段とが複数配設されている。これにより、別々の画像を同時に撮影、投影することができる。また、全周型及び全球型の撮影又は投影を容易に行うことができる。また、撮影光路と投影光路とが分離されているため、再生時の再現力高くすることができる。
【００２３】
請求項８に記載の投影機能付き複眼撮像装置は、請求項７に記載の投影機能付き複眼撮像装置において、前記撮影光学系及び前記投影光学系として同一の光学系が使用される投影機能付き撮像装置であって、前記光学系を、前記撮影光学系として使用するか、前記投影光学系として使用するかの切り替えを行う切替手段を備えたことを特徴とする。
【００２４】
請求項８に記載の投影機能付き複眼撮像装置によれば、撮影光学系として使用するか、投影光学系として使用するかの切り替えを行うことにより、同一の光学系を用いて撮影又は投影を行う。これにより、レンズ部のコストダウンを図り、装置本体を小型化することができる。
【００２５】
請求項９に記載の投影機能付き複眼撮像装置は、請求項７又は８に記載の投影機能付き複眼撮像装置において、前記複数の撮像素子で撮像された複数枚の画像から立体画像又はパノラマ画像を作成する画像処理手段を備え、前記複数の投影手段は、前記画像処理手段により作成された立体画像又はパノラマ画像を投影することを特徴とする。
【００２６】
請求項９に記載の投影機能付き複眼撮像装置によれば、複数の撮像素子で撮像された複数枚の画像から立体画像又はパノラマ画像を作成し、作成された立体画像又はパノラマ画像を投影する。これにより、立体画像やパノラマ画像の撮影、投影を容易に行うることができる。
【００２７】
請求項１０に記載の投影機能付き複眼撮像装置は、請求項７から９のいずれかに記載の投影機能付き複眼撮像装置において、複数の視点から見た被写体像を撮影又は投影する多視点画像モードと、１つの視点から見た被写体像を撮影又は投影する１視点画像モードとを切り替える動作モード切替手段を更に備えたことを特徴とする。
【００２８】
請求項１０に記載の投影機能付き複眼撮像装置によれば、複数の視点から見た被写体像を撮影又は投影する多視点画像モードと、１つの視点から見た被写体像を撮影又は投影する１視点画像モードとの切り替えを行う。これにより、撮影及び投影の自由度を上げて、ユーザーが使用し易い投影機能付き複眼撮像装置を提供することができる。
【発明の効果】
【００２９】
本発明によれば、投影機能を備えることで、撮影された画像を大きな画面で再生することができる。
【発明を実施するための最良の形態】
【００３０】
以下、添付図面に従って本発明に係る投影機能付き撮像装置、レンズ交換式撮像装置及び投影機能付き複眼撮像装置を実施するための最良の形態について詳細に説明する。
【００３１】
＜第１の実施の形態＞
図１は本発明に係る第１の実施の形態の撮像装置である投影機能付きデジタルカメラ１の一実施形態を示す斜視図である。図２は、上記投影機能付きデジタルカメラ１の一実施形態を示す背面図である。この投影機能付きデジタルカメラ１は、レンズを通った光を撮像素子で受け、デジタル信号に変換して記憶メディアに記録するデジタルカメラであり、撮影済みの画像をスクリーンなどに投影するプロジェクタ機能を備えている。
【００３２】
投影機能付きデジタルカメラ１のカメラボディ１２は、横長の四角い箱状に形成されており、その正面には、図１に示すように、レンズユニット１４、ストロボ１６、セルフタイマランプ２０、ＡＦ補助光ランプ２２、ストロボ調光センサ２４等が配設されている。また、カメラボディ１２の上面にはシャッターボタン２６、電源／モードスイッチ２８、モードダイヤル３０等が配設されている。一方、カメラボディ１２の背面には、図２に示すように、モニタ３２、ファインダ接眼部３４、スピーカー３６、ズームボタン３８、十字ボタン４０、ＭＥＮＵ／ＯＫボタン４２、ＤＩＳＰボタン４４、ＢＡＣＫボタン４６等が配設されている。
【００３３】
なお、図示しないカメラボディ１２の下面には、三脚ネジ穴と、開閉自在なカバーを介してバッテリ挿入部とメモリカードスロットとが設けられており、このバッテリ挿入部とメモリカードスロットにバッテリとメモリカードが装填される。
【００３４】
レンズユニット１４は、沈胴式のズームレンズで構成されており、電源／モードスイッチ２８によってカメラのモードを撮影モードに設定することにより、カメラボディ１２から繰り出される。なお、レンズユニット１４のズーム機構や沈胴機構については、公知の技術なので、ここでは、その具体的な構成についての説明は省略する。また、レンズユニット１４は、カメラボディ１２に形成された長穴の内部を上下方向に移動可能に配設されている（具体的な構成については後述する）。レンズユニット１４が下に配置されているときには、投影機能付きデジタルカメラ１はデジタルカメラとして機能（撮影モードで駆動）し、レンズユニット１４が上に配置されているときには、投影機能付きデジタルカメラ１はプロジェクタとして機能（投影モードで機能）する。
【００３５】
ストロボ１６は、主要被写体に向けてストロボ光を照射するものである。
【００３６】
ファインダ窓１８は、撮影する被写体を決めるのぞき窓の部分である。
【００３７】
セルフタイマランプ２０は、たとえばＬＥＤ構成されており、後述するシャッターボタン２６を押した後、一定時間を経過した後で撮影を行うセルフタイマ機能を用いて撮影を行うときに発光される。
【００３８】
ＡＦ補助光ランプ２２は、たとえば高輝度ＬＥＤ構成されており、ＡＦ時に必要に応じて発光される。
【００３９】
ストロボ調光センサ２４は、ストロボ１６の発光量を調整するものである。
【００４０】
シャッターボタン２６は、いわゆる「半押し」と「全押し」とからなる２段ストローク式のスイッチで構成されている。投影機能付きデジタルカメラ１は、撮影モードで駆動しているときは、このシャッターボタン２６が「半押し」されることにより、ＡＥ／ＡＦが作動し、「全押し」されることにより、撮影を実行する。また、投影機能付きデジタルカメラ１は、投影モードで駆動しているときは、このシャッターボタン２６が「全押し」されることにより、投影を実行する。
【００４１】
電源／モードスイッチ２８は、投影機能付きデジタルカメラ１の電源をＯＮ／ＯＦＦする電源スイッチとしての機能と、投影機能付きデジタルカメラ１のモードを設定するモードスイッチとしての機能とを併せ持っており、「ＯＦＦ位置」と「再生位置」と「撮影位置」との間をスライド自在に配設されている。投影機能付きデジタルカメラ１は、電源／モードスイッチ２８をスライドさせて、「再生位置」又は「撮影位置」に合わせることにより、電源がＯＮになり、「ＯＦＦ位置」に合わせることにより、電源がＯＦＦになる。そして、電源／モードスイッチ２８をスライドさせて、「再生位置」に合わせることにより、「再生モード」に設定され、「撮影位置」に合わせることにより、「撮影モード」に設定される。
【００４２】
モードダイヤル３０は、投影機能付きデジタルカメラ１の撮影モードを設定する撮影モード設定手段として機能し、このモードダイヤルの設定位置により、投影機能付きデジタルカメラ１の撮影モードが様々なモードに設定される。例えば、絞り、シャッタースピード等が投影機能付きデジタルカメラ１によって自動的に設定される「オート撮影モード」、動画撮影を行う「動画撮影モード」、人物撮影に適した「人物撮影モード」、動体撮影に適した「スポーツ撮影モード」、風景の撮影に適した「風景撮影モード」、夕景及び夜景の撮影に適した「夜景撮影モード」、絞りの目盛りを撮影者が設定し、シャッタースピードを投影機能付きデジタルカメラ１が自動的に設定する「絞り優先撮影モード」、シャッタースピードを撮影者が設定し、絞りの目盛りを投影機能付きデジタルカメラ１が自動的に設定する「シャッタースピード優先撮影モード」、絞り、シャッタースピード等を撮影者が設定する「マニュアル撮影モード」等である。
【００４３】
モニタ３２は、カラー表示が可能な液晶ディスプレイで構成されている。このモニタ３２は、再生モード時に撮影済み画像を表示するための画像表示パネルとして利用されるとともに、各種設定操作を行なう際のユーザインターフェース表示パネルとして利用される。また、撮影モード時には、必要に応じてスルー画像が表示されて、画角確認用の電子ファインダとして利用される。
【００４４】
スピーカー３６は、モードダイヤル３０などにより音声出力がＯＮに設定されている場合に、所定の音声やブザー音などの音を出力するものである。
【００４５】
ズームボタン３８は、ズームを指示するズーム指示手段として機能し、望遠側へのズームを指示するズームテレボタン３８Ｔと、広角側へのズームを指示するズームワイドボタン３８Ｗとからなる。投影機能付きデジタルカメラ１は、撮影モード時に、このズームテレボタン３８Ｔとズームワイドボタン３８Ｗとが操作されることにより、レンズユニット１４の焦点距離が変化する。また、再生モード時に、このズームテレボタン３８Ｔとズームワイドボタン３８Ｗとが操作されることにより、再生中の画像が拡大、縮小する。
【００４６】
十字ボタン４０は、上下左右４方向の指示を入力する方向指示手段として機能し、たとえば、メニュー画面でメニュー項目の選択などに使用される。
【００４７】
ＭＥＮＵ／ＯＫボタン４２は、各モードの通常画面からメニュー画面への遷移を指示するボタン（ＭＥＮＵボタン）として機能するととともに、選択内容の確定、処理の実行等を指示するボタン（ＯＫボタン）として機能する。
【００４８】
ＤＩＳＰボタン４４は、モニタ３２の表示切り替えを指示するボタンとして機能し、撮影中、このＤＩＳＰボタン４４が押されると、モニタ３２の表示が、ＯＮ→フレーミングガイド表示→ＯＦＦに切り替えられる。また、再生中、このＤＩＳＰボタン４４が押されると、通常再生→文字表示なし再生→マルチ再生に切り替えられる。
【００４９】
ＢＡＣＫボタン４６は、入力操作のキャンセルや一つ前の操作状態に戻すことを指示するボタンとして機能する。
【００５０】
図３は、投影機能付きデジタルカメラ１の要部断面図であり、（ａ）は投影機能付きデジタルカメラ１を底面と平行な面で切断したものを上から見た場合の概略を示し、（ｂ）は投影機能付きデジタルカメラ１を側面と平行な面で切断したものを横から見た場合の概略を示す。図３を用いて、投影機能付きデジタルカメラ１内部の概略構成について説明する。
【００５１】
カメラボディ１２の内部には、モニタ３２、電池４８、撮像素子５０、光源５２、再生画像パネル５４、操作系基板５６、メイン基板５８、レール６０、センサ６２、６４、
バネ６６などが配設されている。
【００５２】
レンズユニット１４の左右には、それぞれ略コの字上の溝６１が配設されている。
【００５３】
撮像素子５０は、たとえば、所定のカラーフィルタ配列のカラーＣＣＤで構成されており、レンズユニット１４が下位置に位置決めされた場合の撮影光軸上に配設される。これにより、レンズユニット１４が下位置に位置決めされたときには、被写体像が撮像素子５０に結像される。
【００５４】
光源５２は、白色ＬＥＤなどで構成されており、白色光からなる正面光を再生画像パネル５４に照射する。
【００５５】
再生画像パネル５４は、液晶パネルなどで構成されており、投影の対象となる画像（投影画像）を表示する。再生画像パネル５４は、光源５２と同じ光軸上の前面側に配設されており、その光軸と撮像素子５０が配置された光軸とが平行となるように、かつ撮像素子５０と、光源５２及び再生画像パネル５４とが同時に使用できないように、すなわち撮像素子５０と、光源５２及び再生画像パネル５４とが並列に配設されている。
【００５６】
操作系基板５６は、プッシュスイッチ等の電子部品が実装された基板であり、十字ボタン４０などの操作部からの入力を受けて、メイン基板５８に実装されたＣＰＵ（図示せず）に信号を出力する。
【００５７】
メイン基板５８は、ＩＣ、コンデンサなどの電子部品（図示せず）が実装された基板である。
【００５８】
レール６０は、略矩形状の棒材であり、溝６１と滑合するように、レール６０がカメラボディ１２の上下方向に２箇所延設されている。これにより、レンズユニット１４は、レール６０に沿って上下方向に移動可能となる。
【００５９】
センサ６２、６４は、検出コイルなどで構成され、レンズユニット１４が下位置にあるか上位置にあるかを検出する。
【００６０】
バネ６６は、引張コイルバネなどの引っ張り力を付勢するバネであり、一端はレンズユニット１４の上側に固定され、他端はカメラボディ１２の上面に固定されている。
【００６１】
投影機能付きデジタルカメラ１は、通常デジタルカメラ（撮影モードなど）として使用されるため、レンズユニット１４は、図示しない固定手段により下位置に固定されている。レンズユニット１４が下位置にある場合には、レンズユニット１４の光軸上に撮像素子５０が配置される。レンズユニット１４が下位置に固定されている場合には、センサ６２がＯＮされ、投影機能付きデジタルカメラ１はデジタルカメラとして駆動可能となる。
【００６２】
図示しない解除手段を用いてレンズユニット１４の固定を外すと、バネ６６の付勢力により、レンズユニット１４は上位置に移動されて、上位置で位置決めされる。上位置では、レンズユニット１４の光軸上に、光源５２及び再生画像パネル５４が配置される。レンズユニット１４が上位置に位置決めされると、センサ６４がＯＮされ、投影機能付きデジタルカメラ１はプロジェクタとして駆動可能となる。
【００６３】
なお、センサ６２、６４のいずれもがＯＮされていない場合には、電源がＯＮされても投影機能付きデジタルカメラ１は駆動されない。これにより、問題がある状態での駆動を防止することができる。
【００６４】
図４は、投影機能付きデジタルカメラ１内部の電気的な概略構成を示すブロック図である。同図に示すように、投影機能付きデジタルカメラ１は、ＣＰＵ１１０、撮像素子５０、操作部（シャッターボタン２６、電源／モードスイッチ２８、モードダイヤル３０、ズームボタン３８、十字ボタン４０、ＭＥＮＵ／ＯＫボタン４２、ＤＩＳＰボタン４４、ＢＡＣＫボタン４６等）１１２、ＲＯＭ１１６、ＥＥＰＲＯＭ１１８、メモリ１２１、ＶＲＡＭ１２２、タイミングジェネレータ（ＴＧ）１２６、絞り駆動部１２７、アナログ処理部（ＣＤＳ／ＡＭＰ）１２８、レンズ駆動部１２９、ビデオエンコーダ１３６、ＡＦ検出部１３８、ＡＥ／ＡＷＢ検出部１３９、メディア制御部１５１、記憶メディア１５２、Ａ／Ｄ変換器１７０、画像入力制御部１７２、画像信号処理部１７４、圧縮伸張処理部１７５等で構成されている。
【００６５】
ＣＰＵ１１０は、操作部１１２から入力される操作信号に基づき所定の制御プログラムに従って投影機能付きデジタルカメラ１の全体を統括制御する。バスを介してＣＰＵ１１０と接続されたＲＯＭ１１６には、このＣＰＵ１１０が実行する制御プログラム及び制御に必要な各種データ等が格納されており、ＥＥＰＲＯＭ１１８には、ユーザー設定情報等の投影機能付きデジタルカメラ１の動作に関する各種設定情報等が格納されている。また、メモリ（ＳＤＲＡＭ）１２０は、ＣＰＵ１１０の演算作業用領域として利用されるとともに、画像データ等の一時記憶領域として利用され、ＶＲＡＭ１２２は、画像データ専用の一時記憶領域として利用される。
【００６６】
撮像素子５０は、レンズユニット１４内部に配設されたレンズ群１３によって結像された被写体の画像を電子的に撮像する。タイミングジェネレータ（ＴＧ）１２６は、ＣＰＵ１１０からの指令に応じて、この撮像素子５０を駆動するためのタイミング信号を出力する。
【００６７】
アナログ処理部１２８は、撮像素子５０から出力された画像信号に対して、画素ごとのＲ、Ｇ、Ｂ信号をサンプリングホールド（相関二重サンプリング処理）するとともに、増幅してＡ／Ｄ変換器１７０に出力する。
【００６８】
Ａ／Ｄ変換器１７０は、アナログ処理部１２８から出力されたアナログのＲ、Ｇ、Ｂ信号をデジタルのＲ、Ｇ、Ｂ信号に変換して出力する。
【００６９】
画像入力制御部１７２は、Ａ／Ｄ変換器１７０から出力されたデジタルのＲ、Ｇ、Ｂ信号をメモリ１２１に出力する。
【００７０】
画像信号処理部１７４は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含み、ＣＰＵ１１０からの指令に従い、入力された画像信号に所要の信号処理を施して、輝度データ（Ｙデータ）と色差データ（Ｃｒ，Ｃｂデータ）とからなる画像データ（ＹＵＶデータ）を生成する。
【００７１】
ビデオエンコーダ１３６は、ＣＰＵ１１０からの指令に従い、モニタ３２及び再生画像パネル５４への表示を制御する。すなわち、ＣＰＵ１１０からの指令に従い、入力された画像信号をモニタ３２又は再生画像パネル５４に表示するための映像信号（たとえば、ＮＴＳＣ信号やＰＡＬ信号、ＳＣＡＭ信号）に変換してモニタ３２又は再生画像パネル５４に出力するとともに、必要に応じて所定の文字、図形情報をモニタ３２又は再生画像パネル５４に出力する。
【００７２】
ＡＦ検出部１３８は、Ｇ信号の高周波成分のみを通過させるハイパスフィルタ、絶対値化処理部、所定のフォーカスエリア（たとえば、画面中央部）内の信号を切り出すＡＦエリア検出部及びＡＦエリア内の絶対値データを積算する積算部から構成される。
【００７３】
ＡＥ／ＡＷＢ検出部１３９は、ＣＰＵ１１０からの指令に従い、入力された画像信号からＡＥ制御及びＡＷＢ制御に必要な物理量を算出する。たとえば、ＡＥ制御に必要な物理量として、１画面を複数のエリア（たとえば１６×１６）に分割し、分割したエリアごとにＲ、Ｇ、Ｂの画像信号の積算値を算出する。
【００７４】
絞り駆動部１２７及びレンズ駆動部１２９は、ＣＰＵ１１０からの指令に応じてレンズユニット１４、絞り１５の動作を制御する。
【００７５】
圧縮伸張処理部１７５は、ＣＰＵ１１０からの指令に従い、入力された画像データに所定形式の圧縮処理を施し、圧縮画像データを生成する。また、ＣＰＵ１１０からの指令に従い、入力された圧縮画像データに所定形式の伸張処理を施し、非圧縮の画像データを生成する。
【００７６】
メディア制御部１５１は、ＣＰＵ１１０からの指令に従い、メディアスロットに装填された記憶メディア３１に対してデータの読み／書きを制御する。
【００７７】
ストロボ発光制御部１６０は、ＣＰＵ１１０からの指令に従い、ストロボ１６の発光を制御する。
【００７８】
次に、以上のように構成された本実施の形態の投影機能付きデジタルカメラ１の作用について説明する。
【００７９】
まず、一般的な画像の撮影、記録処理の手順について説明する。上記のように、投影機能付きデジタルカメラ１は、電源／モードスイッチ２８を撮影位置に合わせることで、撮影モードに設定され、撮影が可能になる。そして、撮影モードに設定されることにより、レンズユニット１４が繰り出され、撮影スタンバイ状態になる。
【００８０】
この撮影モードの下、レンズユニット１４を通過した被写体光は、絞り１５を介して撮像素子５０の受光面に結像される。撮像素子５０の受光面には、所定の配列構造（ベイヤー、Ｇストライプなど）で配列された赤（Ｒ）、緑（Ｇ）、青（Ｂ）のカラーフィルタを介して多数のフォトダイオード（受光素子）が二次元的に配置されている。レンズユニット１４を通過した被写体光は、各フォトダイオードによって受光され、入射光量に応じた量の信号電荷に変換される。
【００８１】
各フォトダイオードに蓄積された信号電荷は、タイミングジェネレータ（ＴＧ）１２６から与えられる駆動パルスに基づいて信号電荷に応じた電圧信号（画像信号）として順次読み出され、アナログ処理部（ＣＤＳ／ＡＭＰ）１２８に加えられる。
【００８２】
アナログ処理部１２８から出力されたアナログのＲ、Ｇ、Ｂ信号は、Ａ／Ｄ変換器１７０でデジタルのＲ、Ｇ、Ｂ信号に変換され、画像入力制御部１７２に加えられる。画像入力制御部１７２は、Ａ／Ｄ変換器１７０から出力されたデジタルのＲ、Ｇ、Ｂ信号をメモリ１２１に出力する。
【００８３】
撮影画像をモニタ３２に出力する場合は、画像入力制御部１７２からメモリ１２１に出力された画像信号より画像信号処理部１７４で輝度／色差信号が生成され、その信号がビデオエンコーダ１３６に送られる。ビデオエンコーダ１３６は、入力された輝度／色差信号を表示用の信号形式（たとえばＮＴＳＣ方式のカラー複合映像信号）に変換し、モニタ３２に出力する。これにより、撮像素子５０で撮像された画像がモニタ３２に表示される。
【００８４】
撮像素子５０から画像信号を定期的に取り込み、その画像信号から生成される輝度／色差信号によってＶＲＡＭ１２２内の画像データを定期的に書き換え、モニタ３２に出力することにより、撮像素子５０で撮像される画像がリアルタイムに表示される。撮影者は、このモニタ３２にリアルタイムに表示される画像（スルー画像）を見ることにより、撮影画角を確認することができる。
【００８５】
なお、ＶＲＡＭ１２２からビデオエンコーダ１３６に加えられる輝度／色差信号は、必要に応じて合成部（図示せず）に加えられ、所定の文字や図形等と合成されたのち、ビデオエンコーダ１３６に加えられる。これにより、所要の撮影情報等がスルー画像に重ねて表示される。
【００８６】
撮影はシャッターボタン２６の押下によって行なわれる。シャッターボタン２６が半押しされると、Ｓ１ＯＮ信号がＣＰＵ１１０に入力され、ＣＰＵ１１０はＡＥ／ＡＦ処理を実施する。
【００８７】
まず、画像入力制御部１７２を介して撮像素子５０から取り込まれた画像信号がＡＦ検出部１３８並びにＡＥ／ＡＷＢ検出部１３９に入力される。
【００８８】
ＡＦ検出部１３８で求めた積算値のデータはＣＰＵ１１０に通知される。
【００８９】
ＣＰＵ１１０は、レンズ駆動部１２９を制御してレンズユニット１４を含む撮影光学系のフォーカスレンズ群を移動させながら、複数のＡＦ検出ポイントで焦点評価値（ＡＦ評価値）を演算し、評価値が極大となるレンズ位置を合焦位置として決定する。そして、求めた合焦位置にフォーカスレンズ群が移動するように、レンズ駆動部１２９を制御する。
【００９０】
ＣＰＵ１１０は、ＡＥ／ＡＷＢ検出部１３９から得た積算値に基づいて被写体の明るさ（被写体輝度）を検出し、撮影に適した露出値（撮影ＥＶ値）を算出する。そして、求めた撮影ＥＶ値と所定のプログラム線図から絞り値とシャッタースピードを決定し、これに従い撮像素子５０の電子シャッターと絞り駆動部１２７を制御して適正な露光量を得る。同時に、検出された被写体輝度より、ストロボの発光が必要かどうかを判断する。
【００９１】
また、ＡＥ／ＡＷＢ検出部１３９は、自動ホワイトバランス調整時、分割エリアごとにＲ、Ｇ、Ｂ信号の色別の平均積算値を算出し、その算出結果をＣＰＵ１１０に提供する。ＣＰＵ１１０は、得られたＲの積算値、Ｂの積算値、Ｇの積算値から分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば、各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を制御し、各色チャンネルの信号に補正をかける。
【００９２】
以上のように、シャッターボタン２６の半押しによって、ＡＥ／ＡＦ処理が行なわれる。なお、撮影者は、必要に応じてズームボタン３８を操作し、レンズユニット１４をズーミングさせて画角を調整する。
【００９３】
この後、シャッターボタン２６が全押しされると、ＣＰＵ１１０にＳ２ＯＮ信号が入力され、ＣＰＵ１１０は、撮影、記録処理を開始する。すなわち、測光結果に基づき決定されたシャッター速度、絞り値で撮像素子５０を露光する。この際、ストロボ１６を発光させる場合は、ストロボ発光制御部１６０を介してストロボ１６を発光させる。ストロボ発光制御部１６０は、ストロボ調光センサ２４での受光量が所定量に達すると、ストロボ１６への通電を遮断し、ストロボ１６の発光を停止させる。
【００９４】
撮像素子５０から出力された画像信号は、アナログ処理部１２８、Ａ／Ｄ変換器１７０、画像入力制御部１７２を介してメモリ１２１に取り込まれ、画像信号処理部１７４において輝度／色差信号に変換されたのち、メモリ１２１に格納される。
【００９５】
メモリ１２１に格納された画像データは、圧縮伸張処理部１７５に加えられ、所定の圧縮フォーマット（たとえばＪＰＥＧ形式）に従って圧縮された後、メモリ１２１に格納され、所定の画像記録フォーマット（たとえばＥｘｉｆ形式）の画像ファイルとされたのち、メディア制御部１５１を介して記憶メディア３１に記録される。
【００９６】
以上のようにして記憶メディア３１に記録された画像は、電源／モードスイッチ２８を再生位置に合わせて、投影機能付きデジタルカメラ１のモードを再生モードに設定することにより、モニタ３２で再生表示させたり、外部の投影画面で投影表示させたりすることができる。
【００９７】
まず、モニタ３２で再生表示する場合について説明する。電源／モードスイッチ２８を再生位置に合わせて、投影機能付きデジタルカメラ１のモードを再生モードに設定すると、ＣＰＵ１１０は、メディア制御部１５１にコマンドを出力し、記憶メディア３１に最後に記録された画像ファイルを読み出させる。
【００９８】
読み出された画像ファイルの圧縮画像データは、圧縮伸張処理部１７５に加えられ、非圧縮の輝度／色差信号に伸張されたのち、ビデオエンコーダ１３６を介してモニタ３２に出力される。これにより、記憶メディア３１に記録されている画像がモニタ３２に再生表示される。なお、再生時も必要に応じて再生する画像の輝度／色差信号が、アニメーション画像合成部１３８に加えられ、所定の文字や図形等と合成されたのち、ビデオエンコーダ１３６に加えられる。これにより、撮影済み画像に重ねられて所定の撮影情報等がモニタ３２に表示される。
【００９９】
画像のコマ送りは、十字ボタン４０の左右のキー操作によって行なわれ、十字ボタン４０の右キーが押されると、次の画像ファイルが記憶メディア３１から読み出され、モニタ３２に再生表示される。また、十字ボタン４０の左キーが押されると、一つ前の画像ファイルが記憶メディア３１から読み出され、モニタ３２に再生表示される。
【０１００】
次に、外部の投影画面で投影表示する場合について説明する。なお、画像のコマ送りの方法などモニタ３２に表示する場合と同一の項目に関しては、説明を省略する。
【０１０１】
電源／モードスイッチ２８を再生位置に合わせて、投影機能付きデジタルカメラ１のモードを再生モードに設定した状態で、レンズユニット１４が上位置で位置決めされると、センサ６４がこれを検出し、ＣＰＵ１１０に検出信号を出力する。
【０１０２】
ＣＰＵ１１０は、センサ６４から検出信号が入力されると、投影機能付きデジタルカメラ１のモードを投影モードに設定し、メディア制御部１５１にコマンドを出力し、記憶メディア３１に最後に記録された画像ファイルを読み出させる。読み出された画像ファイルの圧縮画像データは、圧縮伸張処理部１７５に加えられ、非圧縮の輝度／色差信号に伸張されたのち、ビデオエンコーダ１３６を介して再生画像パネル５４に出力される。
【０１０３】
ＣＰＵ１１０は、メディア制御部１５１にコマンドを出力するのと同時に、光源５２を光らせる。光源５２から照射された光は、再生画像パネル５４を透過して投影画像光に変調される。変調された投影画像光は、レンズ群１３により外部の投影面に投影される。なお、外部の投影面として、背景が白いホワイトボード、壁などを使用できる。
【０１０４】
ズームテレボタン３８Ｔとズームワイドボタン３８Ｗとが操作されることにより、レンズユニット１４の焦点距離が変化させて、投影された投影画像を投影面に鮮明に表示させる。これにより、記憶メディア３１に記録されている画像が投影面に投影される。
【０１０５】
本実施の形態によれば、撮影された画像を外部の投影面に投影することで、大きな画面で画像を見ることができ、また大人数で撮影された画像を視聴することができる。
【０１０６】
また、本実施の形態によれば、撮影と投影とで同じ光学系を用いることができるため、装置本体の小型化や薄型化が可能となり、コストダウンを図ることができる。
【０１０７】
＜第２の実施の形態＞
本発明に係る第１の実施の形態は、レンズユニットを上下に移動させることでデジタルカメラとして機能するか、プロジェクタとして機能するかの切り替えを行ったが、切り替えを行う方法はこれに限らない。
【０１０８】
本発明に係る第２の実施の形態は、撮像素子、光源、再生画像パネルなどが取り付けられたユニットをレンズユニットに対して移動させることで、デジタルカメラとして機能するか、プロジェクタとして機能するかの切り替えを行うものである。図５は、本発明に係る第２の実施の形態の撮像装置である投影機能付きデジタルカメラ２の一実施形態を示す断面図であり、投影機能付きデジタルカメラ２を側面と平行な面で切断したものを横から見た場合の概略図である。なお、第１の実施の形態と同一の部分については、同一の記号を付し、説明を省略する。
【０１０９】
カメラボディ１２ａの内部には、モニタ３２、電池４８、撮像素子５０、光源５２、再生画像パネル５４、操作系基板５６、メイン基板５８、レール、センサ６４、ユニット６８などが配設されている。
【０１１０】
ユニット６８は、内部に撮像素子５０と、光源５２及び再生画像パネル５４とが並列に、かつ光軸が平行となるように配設されており、撮像素子５０、光源５２及び画像パネル５４を一体として移動可能にする部材である。ユニット６８の左右には、図示しない溝が形成されており、溝とカメラボディ１２ａの上下方向に延設された図示しないレールとが滑合することで、ユニット６８が上下方向に移動可能となる。
【０１１１】
投影機能付きデジタルカメラ２は、通常デジタルカメラ（撮影モードなど）として使用されるため、ユニット６８は、図示しない固定手段により下位置に固定されている。ユニット６８が下位置にある場合には、レンズユニット１４ａの光軸上に撮像素子５０が配置され、被写体像が撮像素子５０に結像可能となる。ユニット６８が下位置に固定されている場合には、センサ６２がＯＮされ、投影機能付きデジタルカメラ２はデジタルカメラとして駆動可能となる。
【０１１２】
図示しない解除手段を用いてユニット６８の固定を外し、図示しない移動機構によりユニット６８を上方向に移動させると、図示しない固定手段によりユニット６８が上位置で位置決めされる。上位置では、レンズユニット１４ａの光軸上に、光源５２及び再生画像パネル５４が配置される。レンズユニット１４ａが上位置に位置決めされると、センサ６４がＯＮされ、投影機能付きデジタルカメラ１はプロジェクタとして駆動可能となる。
図示しない解除手段を用いてユニット６８の固定を外し、図示しない移動機構によりユニット６８を下方向に移動させると、センサ６４がＯＦＦされ、図示しない固定手段によりユニット６８が下位置で位置決めされ、投影機能付きデジタルカメラ２は再びデジタルカメラとして駆動可能となる。
【０１１３】
本実施の形態によれば、デジタルカメラとして機能するか、プロジェクタとして機能するかの切り替えを行う場合に移動させるユニットが小さくてすむため、装置本体を更に小型化や薄型化することができる。
【０１１４】
なお、本実施の形態では、沈動式の光学系を用いたが、屈曲光学系を用いてもよいし、図６に示すようなレンズユニットが交換可能なデジタルカメラにも適用可能である。
【０１１５】
＜第３の実施の形態＞
本発明に係る第１の実施の形態は、レンズユニットを上下に移動させることでデジタルカメラとして機能するか、プロジェクタとして機能するかの切り替えを行ったが、切り替えを行う方法はこれに限らない。
【０１１６】
本発明に係る第３の実施の形態は、レンズユニットを交換することで、デジタルカメラとして機能するか、プロジェクタとして機能するかの切り替えを行うものである。図７は、本発明に係る第３の実施の形態の撮像装置である投影機能付きレンズ交換式デジタルカメラ３の一実施形態を示す正面図であり、図８は、投影機能付きレンズ交換式デジタルカメラ３のレンズユニットの要部断面図であり、（ａ）は撮影レンズユニットを示し、（ｂ）は投影レンズユニットを示す。なお、第１の実施の形態と同一の部分については、同一の記号を付し、説明を省略する。
【０１１７】
投影機能付きレンズ交換式デジタルカメラ３は、主として、カメラ本体３ａと、レンズユニット１４ｂとで構成される。投影機能付きレンズ交換式デジタルカメラ３のカメラボディ１２ｂは、横長の四角い箱状に形成されており、その正面には、図７に示すように、ストロボ１６、セルフタイマランプ２０、ＡＦ補助光ランプ２２、ストロボ調光センサ２４、マウント７０等が配設されている。
【０１１８】
マウント７０は、レンズユニット１４ｂをカメラ本体３ａの正面に着脱自在に設けるためのものであると共に、レンズユニット１４ｂとカメラ本体３ａとのデータ交換を行う接点としての機能を有する。マウント７０には複数の接点ピンが配設されている。マウント７０の接点ピンと、レンズユニット１４ｂの背面に配設された複数の接点を介して、カメラ本体３ａとレンズユニット１４ｂとの間で電源の供給や、各種のデータ、例えば画像データ、レリーズのコマンド等の交換が行われる。
【０１１９】
レンズユニット１４ｂとしては、撮影を行うときに用いる撮影レンズユニット１４ｂ−１と、投影を行うときに用いる投影レンズユニット１４ｂ−２とがある。撮影レンズユニット１４ｂ−１及び投影レンズユニット１４ｂ−２について、図８を用いて説明する。
【０１２０】
撮影レンズユニット１４ｂ−１の内部には、図８（ａ）に示すように、主として、レンズ群１３と、撮像素子５０とが配設される。レンズ群１３と撮像素子５０とは、同一の光軸上に配置され、レンズ群１３により撮像素子５０に被写体像が結像される。撮像素子５０で取得された被写体像の画像データは、図示しない接点及びマウントの接点ピンを介してカメラ本体３ａに送信され、様々な処理が行われる。
【０１２１】
投影レンズユニット１４ｂ−２の内部には、図８（ｂ）に示すように、主として、レンズ群１３と、光源５２と、再生画像パネル５４とが配設される。レンズ群１３と、光源５２と、再生画像パネル５４とは、同一の光軸上に配置され、再生画像パネル５４に表示された投影画像は、レンズ群１３を介して外部の投影面上に投影される。
【０１２２】
また、撮影レンズユニット１４ｂ−１及び投影レンズユニット１４ｂ−２の内部には、撮像素子５０や再生画像パネル５４の画素値の情報や等が記録されたメモリ（図示せず）が配設されており、当該メモリに記録された情報は、図示しない接点及びマウントの接点ピンを介してカメラ本体３ａに送信される。
【０１２３】
撮影レンズユニット１４ｂ−１が、マウント７０を介してカメラ本体３ａに取り付けられると、ＣＰＵ１１０は、撮影レンズユニット１４ｂ−１の内部に配設されたメモリからの情報を受信する。メモリからの情報を受信すると、ＣＰＵ１１０は、カメラ本体３ａに取り付けられたレンズユニットが撮影レンズユニット１４ｂ−１であることを認識し、投影機能付きレンズ交換式デジタルカメラ３のモードを撮影モードに設定し、撮影スタンバイ状態にする。
【０１２４】
投影レンズユニット１４ｂ−２が、マウント７０を介してカメラ本体３ａに取り付けられると、ＣＰＵ１１０は、投影レンズユニット１４ｂ−２の内部に配設されたメモリからの情報を受信する。メモリからの情報を受信すると、ＣＰＵ１１０は、カメラ本体３ａに取り付けられたレンズユニットが投影レンズユニット１４ｂ−２であることを認識し、投影機能付きレンズ交換式デジタルカメラ３のモードを投影モードに設定し、メディア制御部１５１にコマンドを出力し、記憶メディア３１に最後に記録された画像ファイルを読み出させる。
【０１２５】
図９は、本実施の形態における処理の流れを示すフローチャートである。まず、ＣＰＵ１１０により、マウント７０に取り付けられているレンズユニット１４ｂが撮影レンズユニット１４ｂ−１であるかどうかが判断される（ステップＳ１）。
【０１２６】
マウント７０に撮影レンズユニット１４ｂ−１が取り付けられている場合（ステップＳ１でＹＥＳ）には、投影機能付きレンズ交換式デジタルカメラ３のモードが撮影モードに切り替えられ（ステップＳ２）、撮影系（撮像素子５０などの撮影を行うのに必要な要素）が駆動される（ステップＳ３）。
【０１２７】
Ｓ２がＯＮされたかどうかか判断される（ステップＳ４）。Ｓ２がＯＮしていない場合（ステップＳ４でＮＯ）は、再度ステップＳ４が行われ、Ｓ２がＯＮしている場合には、画像の撮影が行われ（ステップＳ５）、撮影された画像が記憶メディア３１などに記録される（ステップＳ６）。
【０１２８】
撮影モードが終了したかどうかが判断される（ステップＳ７）。撮影モードが終了されていない場合（ステップＳ７でＮＯ）には、再度Ｓ２がＯＮされたかどうかを判断するステップ（ステップ４）が行われ、撮影モードが終了された場合（ステップＳ７でＹＥＳ）には、処理が終了される。
【０１２９】
マウント７０に投影レンズユニット１４ｂ−２が取り付けられている場合（ステップＳ１でＮＯ）には、投影機能付きレンズ交換式デジタルカメラ３のモードが投影モードに切り替えられる（ステップＳ８）。そして、記憶メディア３１から読み出された画像ファイルの圧縮画像データは、圧縮伸張処理部１７５に加えられ、非圧縮の輝度／色差信号に伸張されたのち、ビデオエンコーダ１３６から出力される。ビデオエンコーダ１３６から出力された画像データは、マウント７０の接点ピン及び投影レンズユニット１４ｂ−２の接点を介して、再生画像パネル５４に出力される。ＣＰＵ１１０は、メディア制御部１５１にコマンドを出力するのと同時に、光源５２にもコマンドを送信し、送信されたコマンドはマウント７０の接点ピン及び投影レンズユニット１４ｂ−２の接点を介して光源５２に伝達され、光源５２を光らせる（ステップＳ９）。光源５２から照射された光は、再生画像パネル５４を透過して投影画像光に変調され、レンズ群１３により外部の投影面に投影される（ステップＳ１０）。
【０１３０】
投影モードが終了したかどうかが判断される（ステップＳ１１）。投影モードが終了されていない場合（ステップＳ１１でＮＯ）には、再度画像を投影するステップ（ステップ１０）が行われ、投影モードが終了された場合（ステップＳ１１でＹＥＳ）には、処理が終了される。
【０１３１】
本実施の形態によれば、ユーザーが通常行うレンズ交換の作業を行うだけで、撮影された画像を大画面で再生することができる。
【０１３２】
なお、本実施の形態では、カメラ本体には１個のマウントが配設され、撮影レンズユニットと投影レンズユニットを交換可能にしたが、カメラ本体に複数のマウントを配設し、複数の撮影レンズユニット又は投影レンズユニットを取り付けるようにしてもよい。複数のマウント全てに撮影レンズユニットが取り付けられた場合には、モードを撮影モードにし、複数のマウント全てに投影レンズユニットが取り付けられた場合には、モードを投影モードにする。また、マウントが２個の場合には、撮影レンズユニットと投影レンズユニットを各１個取り付けるようにしてもよい。この場合には、撮影モードか投影モードかをユーザーが設定して撮影、投影を行なってもよいし、撮影を行った後で、自動的に撮影された画像を投影するようにしてもよい。
【０１３３】
［第３の実施の形態の変形例―１］
第３の実施の形態は、レンズユニット全体を交換したが、本実施の形態は共通のレンズ群を用い、撮像部及び投影部のみを交換することで、デジタルカメラとして機能するか、プロジェクタとして機能するかの切り替えを行う形態である。本実施の形態について図１０を用いて説明する。図１０（ａ）は撮影レンズユニット１４ｂ−１’の要部断面図であり、（ｂ）は投影レンズユニット１４ｂ−２’の要部断面図である。なお、第３の実施の形態と同一の部分については説明を省略する。
【０１３４】
レンズ部１４ｂ’は、内部に主としてレンズ群１３が配設され、背面には撮像部１４ｂ−１ａ’又は投影部１４ｂ−２ａ’を着脱可能に取り付ける取付部が配設されている。
【０１３５】
撮像部１４ｂ−１ａ’は、内部には主として撮像素子５０が配設され、前面にはレンズ部１４ｂ’に着脱可能に取り付けるための取付部が配設され、背面にはマウント７０に取り付けるための取付部が配設されている。撮像部１４ｂ−１ａ’をレンズ部１４ｂ’に取り付けると、レンズ部１４ｂ’は撮影光学系として機能し、撮像素子５０に被写体像が結像される。レンズ部１４ｂ’に撮像部１４ｂ−１ａ’が取り付けられた撮影レンズユニット１４ｂ−１’が、マウントを介してカメラ本体３ａ’に取り付けられると、投影機能付きレンズ交換式デジタルカメラ３は、撮影レンズユニット１４ｂ−１の内部に配設されたメモリからの情報を受信し、ＣＰＵ１１０は投影機能付きレンズ交換式デジタルカメラ３のモードを撮影モードに設定し、撮影スタンバイ状態にする。
【０１３６】
投影部１４ｂ−２ａ’は、内部には主として光源５２と再生画像パネル５４とが配設され、前面にはレンズ部１４ｂ’に着脱可能に取り付けるための取付部が配設され、背面にはマウント７０に取り付けるための取付部が配設されている。投影部１４ｂ−２ａ’をレンズ部１４ｂ’に取り付けると、レンズ部１４ｂ’は投影光学系として機能する。レンズ部１４ｂ’に投影部１４ｂ−２ａ’が取り付けられた投影レンズユニット１４ｂ−２’が、マウントを介してカメラ本体３ａ’に取り付けられると、投影機能付きレンズ交換式デジタルカメラ３は、投影レンズユニット１４ｂ−２’の内部に配設されたメモリからの情報を受信する。メモリからの情報を受信すると、ＣＰＵ１１０は、投影機能付きレンズ交換式デジタルカメラ３のモードを投影モードに設定し、マウント７０の接点ピン及び投影レンズユニット１４ｂ−２’の接点を介して、画像データを再生画像パネル５４に出力する。それと共に、ＣＰＵ１１０は光源５２にもコマンドを送信し、送信されたコマンドはマウント７０の接点ピン及び投影レンズユニット１４ｂ−２’の接点を介して光源５２に伝達され、光源５２を光らせる。光源５２から照射された光は、再生画像パネル５４を透過して投影画像光に変調され、レンズ群１３により外部の投影面に投影される。
【０１３７】
本実施の形態によれば、ユーザーが通常行うレンズ交換の作業を行うだけで、撮影された画像を大画面で再生することができると共に、撮影と投影とでレンズ部分を共通使用することによる低コスト化を図ることができる。
【０１３８】
［第３の実施の形態の変形例―２］
図１１に示すような屈曲光学系を用いたレンズユニットを用いた場合について説明する。図１１（ａ）はカメラ本体３ａ’の正面斜視図であり、（ｂ）は屈曲光学系を用いた撮影レンズユニット１４ｂ−１’’を取り付けたカメラ本体３ａ’を側面から見た要部断面図であり、（ｃ）は屈曲光学系を用いた投影レンズユニット１４ｂ−２’’を取り付けたカメラ本体３ａ’を側面から見た要部断面図である。なお、第３の実施の形態と同一の部分については説明を省略する。
【０１３９】
投影機能付きレンズ交換式デジタルカメラ３’は、主として、カメラ本体３ａ’と、撮影を行うときに用いる撮影レンズユニット１４ｂ−１’’と、投影を行うときに用いる投影レンズユニット１４ｂ−２’’とで構成される。
【０１４０】
投影機能付きレンズ交換式デジタルカメラ３’のカメラボディ１２ｂ’は、横長の四角い箱状に形成されており、その正面にはストロボ１６、マウント７０’等が配設されている。
【０１４１】
マウント７０’は、用いる撮影レンズユニット１４ｂ−１’’又は投影レンズユニット１４ｂ−２’’をカメラ本体３ａ’の正面に着脱自在に設けるためのものであると共に、撮影レンズユニット１４ｂ−１’’又は投影レンズユニット１４ｂ−２’’とカメラ本体３ａ’とのデータ交換を行う接点としての機能を有する。また、マウント７０’には複数の接点ピンが配設されている。マウント７０の接点ピンと、撮影レンズユニット１４ｂ−１’’又は投影レンズユニット１４ｂ−２’’の背面に配設された複数の接点とを介して、カメラ本体３ａと撮影レンズユニット１４ｂ−１’’又は投影レンズユニット１４ｂ−２’’との間で電源の供給や、各種のデータ、例えば画像データ、レリーズのコマンド等の交換が行われる。
【０１４２】
撮影レンズユニット１４ｂ−１’’の内部には、図１１（ｂ）に示すように、主として、反射光学素子を含む屈曲系のレンズ群１３’と、撮像素子５０とが配設される。投影レンズユニット１４ｂ−２の内部には、図１１（ｃ）に示すように、主として、反射光学素子を含む屈曲系のレンズ群１３’と、光源５２と、再生画像パネル５４とが配設される。また、撮影レンズユニット１４ｂ−１’’及び投影レンズユニット１４ｂ−２’’の内部には、撮像素子５０や再生画像パネル５４の画素値の情報や等が記録されたメモリ（図示せず）が配設されている。
【０１４３】
撮影レンズユニット１４ｂ−１’’が、マウント７０’を介してカメラ本体３ａ’に取り付けられると、ＣＰＵ１１０は、撮影レンズユニット１４ｂ−１’’の内部に配設されたメモリからの情報を受信する。メモリからの情報を受信すると、ＣＰＵ１１０は、カメラ本体３ａ’に取り付けられたレンズユニットが撮影レンズユニット１４ｂ−１’’であることを認識し、投影機能付きレンズ交換式デジタルカメラ３’のモードを撮影モードに設定し、撮影スタンバイ状態にする。
【０１４４】
投影レンズユニット１４ｂ−２が、マウント７０’を介してカメラ本体３ａ’に取り付けられると、ＣＰＵ１１０は、投影レンズユニット１４ｂ−２’’の内部に配設されたメモリからの情報を受信する。メモリからの情報を受信すると、ＣＰＵ１１０は、投影機能付きレンズ交換式デジタルカメラ３’のモードを投影モードに設定し、マウント７０の接点ピン及び投影レンズユニット１４ｂ−２’’の接点を介して、画像データを再生画像パネル５４に出力する。それと共に、ＣＰＵ１１０は光源５２にもコマンドを送信し、送信されたコマンドはマウント７０の接点ピン及び投影レンズユニット１４ｂ−２’’の接点を介して光源５２に伝達され、光源５２を光らせる。光源５２から照射された光は、再生画像パネル５４を透過して投影画像光に変調され、レンズ群１３により外部の投影面に投影される。
【０１４５】
本実施の形態によれば、屈曲光学系を用いることで、光路長を長く取ることができると共に、装置本体を薄型化、小型化することができる。
【０１４６】
［第４の実施の形態］
図１２は本発明に係る第４の実施の形態の撮像装置である投影機能付き複眼デジタルカメラ４の一実施形態を示す正面斜視図である。図１３は、投影機能付き複眼デジタルカメラ４の断面図であり、（ａ）は投影機能付きデジタルカメラ４を底面と平行な面で切断したものを上から見た場合の概略を示し、（ｂ）は投影機能付きデジタルカメラ４を側面と平行な面で切断したものを横から見た場合の概略を示す。
【０１４７】
投影機能付きデジタルカメラ１のカメラボディ１２０は、横長の四角い箱状に形成されており、その正面には、図１２に示すように、レンズユニット１４１、１４２、ストロボ１６１、１６２、セルフタイマランプ２０、ＡＦ補助光ランプ２２、ストロボ調光センサ２４等が配設されている。また、カメラボディ１２０の上面にはシャッターボタン２６、電源／モードスイッチ２８、モードダイヤル３０等が配設されている。一方、カメラボディ１２０の背面にはモニタ３２、ファインダ接眼部３４、スピーカー３６、ズームボタン３８、十字ボタン４０、ＭＥＮＵ／ＯＫボタン４２、ＤＩＳＰボタン４４、ＢＡＣＫボタン４６等が配設されている。
【０１４８】
なお、図示しないカメラボディ１２０の下面には、三脚ネジ穴と、開閉自在なカバーを介してバッテリ挿入部とメモリカードスロットとが設けられており、このバッテリ挿入部とメモリカードスロットにバッテリとメモリカードが装填される。
【０１４９】
レンズユニット１４１、１４２は、主として沈胴式のレンズ群１３１、１３２がそれぞれ配設されており、レンズユニット１４１のレンズ光軸Ｌ１とレンズユニット１４２のレンズ光軸Ｌ２とが平行となるように、あるいは所定角度をなすように並設されている。レンズユニット１４１、１４２は、電源／モードスイッチ２８によってカメラのモードを撮影モード又は投影モードに設定することにより、カメラボディ１２０からそれぞれ繰り出される。レンズユニット１４１は右目で見た画像に対応する画像の撮影及び投影を行い、レンズユニット１４２は左目で見た画像に対応する画像の撮影及び投影を行う。なお、レンズユニット１４１、１４２のズーム機構や沈胴機構については、公知の技術なので、ここでは、その具体的な構成についての説明は省略する。
【０１５０】
ストロボ１６１、１６２は、主要被写体に向けてストロボ光を照射するものである。ストロボ１６１はレンズユニット１４１で撮影される主要被写体に向けてストロボ光を照射し、ストロボ１６２はレンズユニット１４２で撮影される主要被写体に向けてストロボ光を照射する。
【０１５１】
カメラボディ１２０の内部には、モニタ３２、撮像素子５０１、５０２、光源５２１、５２２、反射光学素子５３１、５３２、再生画像パネル５４１、５４２などが配設されている。
【０１５２】
撮像素子５０１、５０２は、たとえば、所定のカラーフィルタ配列のカラーＣＣＤで構成されており、レンズユニット１４１、１４２の背面にそれぞれ垂直に配設されている。撮像素子５０１はレンズユニット１４１の光軸上に配設され、撮像素子５０２はレンズユニット１４２の光軸上に配設される。
【０１５３】
光源５２１、５２２は、白色ＬＥＤなどで構成されており、カメラボディ１２０の底面に沿って水平に配設されている。光源５２１は白色光からなる正面光を再生画像パネル５４１に照射し、光源５２２は白色光からなる正面光を再生画像パネル５４２に照射する。
【０１５４】
再生画像パネル５４１、５４２は、液晶パネルなどで構成され、投影の対象となる画像（投影画像）を表示するものであり、光源５２１、５２２の上側にそれぞれ水平に配設されている。再生画像パネル５４１は光源５２１と同じ光軸上に配設され、再生画像パネル５４２は光源５２２と同じ光軸上に配設される。
【０１５５】
反射光学素子５３１、５３２は、例えばミラーなどの反射光学素子であり、図示しない駆動機構により略４５度傾いた状態と、略水平状態との間で切り替えが可能である。
【０１５６】
反射光学素子５３１が略水平状態に設置されている場合には、レンズユニット１４１の光軸は直進して撮像素子５０１に入射し、被写体像が撮像素子５０１に結像される。反射光学素子５３１が略４５度傾いた状態に設置されている場合には、光源５２１から照射され、再生画像パネル５４１を透過した投影画像光の光軸が反射光学素子５３１により略９０度屈曲されてレンズ群１３１に導かれ、レンズ群１３１により外部の投影面に投影される。
【０１５７】
反射光学素子５３２が略水平状態に設置されている場合には、レンズユニット１４２の光軸は直進して撮像素子５０２に入射し、被写体像が撮像素子５０２に結像される。反射光学素子５３２が略４５度傾いた状態に設置されている場合には、光源５２２から照射され、再生画像パネル５４２を透過した投影画像光の光軸が反射光学素子５３２により略９０度屈曲されてレンズ群１３２に導かれ、レンズ群１３２により外部の投影面に投影される。
【０１５８】
図１４は、投影機能付き複眼デジタルカメラ４内部の電気的な概略構成を示すブロック図である。
【０１５９】
レンズユニット１４１内部に配設されているレンズ群１３１は、主としてレンズ光軸Ｌ１に沿って配列された第１ズームレンズ１３１ａ、第１絞り１３２ａ、第１フォーカスレンズ１３３ａで構成される。第１絞り１３２ａには絞り制御部２１６ａが接続されており、第１絞り１３２ａ、第１フォーカスレンズ１３３ａの動作は測光・測距ＣＰＵ２１９ａによって制御される。
【０１６０】
第１ズームレンズ１３１ａは、操作部１１２からのズーム操作に応じて、レンズ光軸Ｌ１に沿ってＮＥＡＲ側（繰り出し側）、あるいはＩＮＦ側（繰り込み側）に移動し、ズーム倍率を変化させる。この移動は図示しないモータで駆動される。
【０１６１】
第１絞り１３２ａは、ＡＥ（Auto Exposure）動作時に開口値（絞り値）を変化させて光束を制限し、露出調整を行う。
【０１６２】
第１フォーカスレンズ１３３ａは、ＡＦ（Auto Focus）動作時にレンズ光軸Ｌ１に沿ってＮＥＡＲ側、あるいはＩＮＦ側に移動されて合焦位置を変え、ピント調整を行う。この移動は図示しないモータで駆動される。シャッターボタン２６の半押し状態が検出されたとき、ＣＰＵ１１０は撮像素子５０１から測距データを得る。ＣＰＵ１１０は得られた測距データに基づいて、ピント、絞りなどの調整を行う。
【０１６３】
撮像素子５０１にはタイミングジェネレータ（ＴＧ）２３８ａが接続されている。撮像素子５０１の光電荷蓄積・転送動作は、ＴＧ２３８ａによって制御され、ＴＧ２３８ａから入力されるタイミング信号（クロックパルス）により、電子シャッター速度（光電荷蓄積時間）が決定される。撮像素子５０１は、撮影モード時には、１画面分の画像信号を所定周期ごとに取得する。
【０１６４】
レンズユニット１４２は、レンズユニット１４１と同一の構成であり、詳細な説明は省略するが、主として第２ズームレンズ１３１ｂ、第２絞り１３２ｂ、第２フォーカスレンズ１３３ｂで構成される。
【０１６５】
レンズユニット１４１とレンズユニット１４２の動作はＣＰＵ１１０によって制御される。レンズユニット１４１とレンズユニット１４２とは、基本的に連動して動作を行うが、各々個別に動作させることも可能となっている。
【０１６６】
レンズユニット１４１とレンズユニット１４２の撮像素子５０１および撮像素子５０２から出力された撮像信号は、それぞれＡ／Ｄ変換器２３０ａ、２３０ｂに入力される。
【０１６７】
Ａ／Ｄ変換器２３０ａ、２３０ｂは、入力された画像データをアナログからデジタルに変換する。Ａ／Ｄ変換器２３０ａ、２３０ｂを通して、撮像素子５０１の撮像信号は第１画像データ（右眼用画像データ）として、撮像素子５０２の撮像信号は第２画像データ（左眼用画像データ）として出力される。
【０１６８】
画像信号処理回路２３１ａ、２３１ｂは、それぞれ、階調変換、ホワイトバランス調整、γ調整処理などの各種画像処理を、Ａ／Ｄ変換器２３０ａ、２３０ｂから入力された第１画像データおよび第２画像データに施す。
【０１６９】
バッファメモリ２３２ａ、２３２ｂは、画像信号処理回路２３１ａ、２３１ｂで各種画像処理が施された第１画像データおよび第２画像データを一時的に格納する。バッファメモリ２３２ａ、２３２ｂに格納された第１画像データおよび第２画像データは、システムバスを介して出力される。
【０１７０】
システムバスには、ＣＰＵ１１０、２Ｄ／３Ｄモード切替フラグ設定回路１１４、基線長／輻輳角記憶手段１１５、ＥＥＰＲＯＭ２２１、ワークメモリ２２４ａ、２２４ｂ、バッファメモリ２３２ａ、２３２ｂ、コントローラ２３４、２３４ａ、２３４ｂ、ＹＣ処理部２３５ａ、２３５ｂ、圧縮伸張処理回路２３６ａ、２３６ｂ、メディアコントローラ２３７などが接続される。
【０１７１】
ＣＰＵ１１０は、操作部１１２、２Ｄ／３Ｄ設定スイッチ１１３などから入力される操作信号に基づき、所定の制御プログラムに従って投影機能付きデジタルカメラ１の全体を統括制御する。
【０１７２】
２Ｄ／３Ｄ設定スイッチ１１３は、単視点画像を撮影する２Ｄモードと、多視点画像を撮影する３Ｄモードの切り替えを指示するためのスイッチである。
【０１７３】
２Ｄ／３Ｄモード切替フラグ設定回路１１４には、２Ｄモードであることまたは３Ｄモードであることを表すフラグが設定される。
【０１７４】
基線長／輻輳角記憶手段１１５は、測光・測距ＣＰＵ２１９ａ、２１９ｂで測定された被写体間での距離と、レンズユニット１４１、１４２の基線長とに基づいて、その撮影者に適した輻輳角を算出して記憶するものである。
【０１７５】
ＥＥＰＲＯＭ２２１は、不揮発性メモリであり、各種制御用のプログラムや設定情報などを格納している。ＣＰＵ１１０は、このプログラムや設定情報に基づいて各種処理を実行する。
【０１７６】
ワークメモリ２２４ａ、２２４ｂは、ＹＣ処理部２３５ａ、２３５ｂで処理されたＹＣ信号をそれぞれ格納する。
【０１７７】
コントローラ２３４は、ワークメモリ２２４ａ、２２４ｂに記憶された第１画像データおよび第２画像データのＹＣ信号をＹＣ／ＲＧＢ処理部２２２に読み出す。
【０１７８】
ＹＣ／ＲＧＢ処理部２２２は、第１画像データおよび第２画像データのＹＣ信号のうちの所望のＹＣ信号（例えば、第１画像データのＹＣ信号）を、所定方式の映像信号（例えば、ＮＴＳＣ方式のカラー複合映像信号）に変換し、表示用のＬＣＤドライバ２２３に出力する。撮影モード時に電子ビューファインダとして使用される際には、ＹＣ／ＲＧＢ処理部２２２によって変換された画像データが、ＬＣＤドライバ２２３を介してモニタ３２にスルー画として表示される。
【０１７９】
ＬＣＤドライバ２２３は、ＹＣ／ＲＧＢ処理部２２２から出力されたＲＧＢ信号をモニタ３２に出力する。
【０１８０】
コントローラ２３４ａ、２３４ｂは、ワークメモリ２２４ａ、２２４ｂに記憶された第１画像データおよび第２画像データのＹＣ信号をそれぞれＹＣ／ＲＧＢ処理部２２２ａ、２２２ｂに読み出す。
【０１８１】
ＹＣ／ＲＧＢ処理部２２２ａ、２２２ｂは、第１画像データおよび第２画像データのＹＣ信号を、それぞれ所定方式の映像信号（例えば、ＮＴＳＣ方式のカラー複合映像信号）に変換し、外部の投影面での立体画像の投影表示を行うための立体画像データに合成し、表示用のＬＣＤドライバ２２３に出力する。
【０１８２】
ＬＣＤドライバ２２３ａ、２２３ｂは、ＹＣ／ＲＧＢ処理部２２２ａ、２２２ｂから出力されたＲＧＢ信号をそれぞれ再生画像パネル５４１、５４２に出力する。再生画像パネル５４１、５４２にはＳｏｎｙ製のグレーティング・ライト・バルブを用いた１次元の光変調素子ＧｘＬが用いられる。ＧｘＬとは、半導体技術を用いて製造される光回折格子型のＭＥＭＳ（Micro Electro Mechanical Systems）素子で、素子の表面に配された微細なリボンを電気信号で動かすことで、ドライバ２２８ａ、２２８ｂを介して光源５２１、５２２から発せられたレーザー光の回折光の強弱を制御し、映像化するものである。
【０１８３】
コントローラ２２７ａ、２２７ｂは、コントローラ２３４ａ、２３４ｂによって第１画像データおよび第２画像データのＹＣ信号をそれぞれＹＣ／ＲＧＢ処理部２２２ａ、２２２ｂに読み出されると同時に、駆動信号をドライバ２２８ａ、２２８ｂに出力する。
【０１８４】
ドライバ２２８ａ、２２８ｂは、コントローラ２２７ａ、２２７ｂ殻出力された駆動信号に応じて、光源５２１，５２２の駆動を制御する。
【０１８５】
ＹＣ処理部２３５ａ、２３５ｂは、バッファメモリ２３２ａ、２３２ｂに記憶された画像データを輝度信号（Ｙ信号）及び色差信号（Ｃr,Ｃb 信号）に変換するとともに、ガンマ調整等の所定の処理を施す。
【０１８６】
圧縮伸張処理回路２３６ａ、２３６ｂは、それぞれワークメモリ２２４ａ、２２４ｂに記憶された第１画像データおよび第２画像データに対して、静止画ではＪＰＥＧ、動画ではＭＰＥＧ２、ＭＰＥＧ４、Ｈ．２６４方式等の所定の圧縮形式に従って圧縮処理を施す。
【０１８７】
メディアコントローラ２３７は、圧縮伸張処理回路２３６ａ、２３６ｂによって圧縮処理された各画像データを、Ｉ／Ｆ２３９経由で接続された記憶メディア３１やその他の記録メディアに記録させる。
【０１８８】
基線長／輻輳角制御手段２５５は、基線長／輻輳角記憶手段１１５に記憶された基線長及び輻輳角に基づいて、基線長／輻輳角駆動手段２５６ａ、２５６ｂ及び基線長／輻輳角検出手段２５７ａ、２５７ｂを制御して、レンズユニット１４１及びレンズユニット１４２の基線長（レンズユニット１４１とレンズユニット１４２との間隔）及び輻輳角（レンズユニット１４１のレンズ光軸Ｌ１と、レンズユニット１４２のレンズ光軸Ｌ２との成す角度）を調整するものである。
【０１８９】
基線長／輻輳角駆動手段２５６ａ、２５６ｂは、基線長／輻輳角制御手段２５５に接続されており、基線長／輻輳角制御手段２５５からの指示に従って、レンズユニット１４１及びレンズユニット１４２を駆動するものである。
【０１９０】
基線長／輻輳角検出手段２５７ａ、２５７ｂは、基線長／輻輳角制御手段２５５及び基線長／輻輳角駆動手段２５６ａ、２５６ｂに接続されており、基線長／輻輳角駆動手段２５６ａ、２５６ｂによってそれぞれ駆動されたレンズユニット１４１及びレンズユニット１４２の基線長及び輻輳角を検出するものである。基線長／輻輳角制御手段２５５は、基線長／輻輳角検出手段２５７ａ、２５７ｂにおいて検出された基線長及び輻輳角に基づいて、基線長／輻輳角駆動手段２５６ａ、２５６ｂへ指示を出力する。
【０１９１】
また、投影機能付き複眼デジタルカメラ４には、電源電池６８が着脱可能に設けられている。
【０１９２】
電源電池６８は、充電可能な二次電池、例えばニカド電池、ニッケル水素電池、リチウムイオン電池で構成される。電源電池６８は使い切り型の一次電池、例えばリチウム電池、アルカリ電池で構成してもよい。電源電池６８は、図示しない電池収納室に装填することにより、複眼デジタルカメラ１の各回路と電気的に接続される。
【０１９３】
充電・発光制御部１６３ａ、１６３ｂは、シャッターボタン２６の半押し・全押し操作信号等の各種の信号や、発光量、発光タイミングを示す信号をＣＰＵ１１０や測光・測距ＣＰＵ２１９ａ、２１９ｂから取り込んだことに応じて、電源電池６８からの電力の供給を受けて、図示しない閃光発光用のコンデンサを充電し、ストロボ１６１、１６２の発光を制御する。
【０１９４】
なお、投影機能付き複眼デジタルカメラ４においては、２系統の撮像系（レンズユニット１４１およびレンズユニット１４２）を有する例を示すが、撮像系が３個以上あってもよい。また、撮像系の配置は、横一列でなくても二次元で配置されていてもよい。また、投影機能付き複眼デジタルカメラ４は、立体撮影及び立体表示のみでなく、マルチ視点や全方向の撮影や投影も可能である。
【０１９５】
上記のように構成された投影機能付き複眼デジタルカメラ４の撮影、記録動作及び再生動作について説明する。
【０１９６】
この複眼デジタルカメラ１において、電源／モードスイッチ２８がＯＮ操作されると、ＣＰＵ１１０はこれを検出し、カメラ内電源をＯＮにし、撮影モードで撮影スタンバイ状態にする。また、２Ｄ／３Ｄ設定スイッチ１１３で２Ｄモードか３Ｄモードのどちらかに設定する。撮影モードが選択されると、まず、図示しない駆動手段を介して反射光学素子５３１が略水平状態に設置され、光源５２１、５２２から照射された光がレンズ群１３１に導かれるように光軸が切り替えられる。
【０１９７】
この撮影スタンバイ状態では、ＣＰＵ１１０は、通常、以下のようにしてモニタ３２に動画（スルー画）を表示させる。
【０１９８】
まず、ＣＰＵ１１０は、２Ｄ／３Ｄモード切替フラグ設定回路１１４を参照し、単視点画像（２次元画像）を取得する２Ｄモードか、多視点画像（３次元画像）を取得する３Ｄモードかを検出する。２Ｄモードの場合はレンズユニット１４１のみを駆動し、３Ｄモードの場合はレンズユニット１４１及びレンズユニット１４２を駆動する。以下、３Ｄモードを例に説明する。第１ズームレンズ１３１ａ、第２ズームレンズ１３１ｂ、第１フォーカスレンズ１３３ａ、第２フォーカスレンズ１３３ｂが所定位置まで繰り出され、その後撮像素子５０１、撮像素子５０２によってスルー画像用の撮影が行わる。撮像素子５０１において連続的に画像が撮像された画像信号は、連続的に処理されて、スルー画像用の画像データが生成される。生成された画像データは、順次コントローラ２３４に加えられ、表示用の信号形式に変換されて、モニタ３２に出力される。これにより、撮像素子５０１で捉えた画像がモニタ３２にスルー表示される。本実施例では、撮像素子５０１で撮影されたスルー画像をモニタ３２に表示したが、これは利き目が右目である人が多いという理由に基づいている。なお、モニタ３２に表示させるスルー画像として撮像素子５０２で捉えた画像をモニタ３２に表示させてもよいし、所望の画像を表示できるような切替機構を備えていてもよい。
【０１９９】
ユーザ（撮影者）は、モニタ３２に表示されるスルー画を見ながらフレーミングしたり、撮影したい被写体を確認したり、撮影後の画像を確認したり、撮影条件を設定したりする。
【０２００】
上記撮影スタンバイ状態時にシャッターボタン２６が半押しされると、ＣＰＵ１１０にＳ１ＯＮ信号が入力される。ＣＰＵ１１０はこれを検知し、ＡＥ測光、ＡＦ制御を行う。ＡＥ測光時には、撮像素子５０１、撮像素子５０２を介して取り込まれる画像信号の積算値等に基づいて被写体の明るさを測光する。この測光した値（測光値）は、本撮影時における第１絞り１３２ａ、第２絞り１３２ｂの絞り値、及びシャッター速度の決定に使用される。同時に、検出された被写体輝度より、ストロボの発光が必要かどうかを判断する。同時に、検出された被写体輝度より、ストロボの発光が必要かどうかを判断する。ストロボ１６１、１６２の発光が必要と判断された場合には、ストロボ１６１、１６２をプリ発光させ、その反射光に基づいて本撮影時のストロボ１６１、１６２の発光量を決定する。３Ｄモードの場合には、さらにレンズユニット１４１およびレンズユニット１４２の基線長及び輻輳角が適宜調整される。
【０２０１】
シャッターボタン２６が全押しされると、ＣＰＵ１１０にＳ２ＯＮ信号が入力される。ＣＰＵ１１０は、このＳ２ＯＮ信号に応動して、撮影、記録処理を実行する。
【０２０２】
まず、ＣＰＵ１１０は、前記測光値に基づいて決定した絞り値に基づいて絞り制御部１６ａ、１６ｂを介して第１絞り１３２ａ、第２絞り１３２ｂを駆動するとともに、前記測光値に基づいて決定したシャッター速度になるように撮像素子５０１、撮像素子５０２での電荷蓄積時間（いわゆる電子シャッター）を制御する。
【０２０３】
また、ＣＰＵ１１０は、バッファメモリ２３２ａ、２３２ｂに格納される第１画像データおよび第２画像データの各々からＡＦ評価値およびＡＥ評価値を算出する。ＡＦ評価値は、各画像データの全領域または所定領域（例えば中央部）について輝度値の高周波成分を積算することにより算出され、画像の鮮鋭度を表す。輝度値の高周波成分とは、隣接する画素間の輝度差（コントラスト）を所定領域内について足し合わせたものである。ＡＥ評価値は、各画像データの全領域または所定領域（例えば中央部）について輝度値を積算することにより算出され、画像の明るさを表す。ＡＦ評価値およびＡＥ評価値は、後述する撮影準備処理時に実行されるＡＦ動作およびＡＥ動作においてそれぞれ使用される。
【０２０４】
ＣＰＵ１１０は、ＣＰＵ１１０が第１フォーカスレンズ１３３ａおよび第２フォーカスレンズ１３３ｂを制御してそれぞれ所定方向に移動させながら、順次に得られる第１画像データおよび第２画像データの各々から算出されたＡＦ評価値の最大値を求めることにより、ＡＦ動作（コントラストＡＦ）を行う。
【０２０５】
この際、ストロボ１６１、１６２を発光させる場合は、プリ発光の結果から求めたストロボ１６１、１６２の発光量に基づいてストロボ１６１、１６２を発光させる。
【０２０６】
被写体光は、第１ズームレンズ１３１ａ、第１絞り１３２ａ、および第１フォーカスレンズ１３３ａを介して撮像素子５０１の受光面に入射する。また、第２ズームレンズ１３１ｂ、第２絞り１３２ｂ、および第２フォーカスレンズ１３３ｂを介して撮像素子５０２の受光面に入射する。
【０２０７】
撮像素子５０１、撮像素子５０２の受光面に入射した光は、その受光面に配列された各フォトダイオードによって入射光量に応じた量の信号電荷に変換される。各フォトダイオードに蓄積された信号電荷は、タイミングジェネレータ（ＴＧ）１８ａから加えられるタイミング信号に従って読み出され、電圧信号（画像信号）として撮像素子５０１、撮像素子５０２から順次出力され、Ａ／Ｄ変換器２３０ａ、２３０ｂに入力される。
【０２０８】
Ａ／Ｄ変換器２３０ａ、２３０ｂは、ＣＤＳ回路及びアナログアンプを含み、ＣＤＳ回路は、ＣＤＳパルスに基づいてＣＣＤ出力信号を相関二重サンプリング処理し、アナログアンプは、ＣＰＵ１１０から加えられる撮影感度設定用ゲインによってＣＤＳ回路から出力される画像信号を増幅する。Ａ／Ｄ変換器２３０ａ、２３０ｂにおいて、それぞれアナログの画像信号からデジタルの画像信号に変換される。
【０２０９】
Ａ／Ｄ変換器２３０ａ、２３０ｂから出力された第１画像データおよび第２画像データは、それぞれ画像信号処理回路２３１ａ、２３１ｂで階調変換、ホワイトバランス調整、γ調整処理などの各種画像処理を施され、バッファメモリ２３２ａ、２３２ｂに一旦蓄えられる。
【０２１０】
バッファメモリ２３２ａ、２３２ｂから読み出されたＲ、Ｇ、Ｂの画像信号は、ＹＣ処理部２３５ａ、２３５ｂにより輝度信号Ｙと色差信号Ｃｒ、Ｃｂ（ＹＣ信号）に変換され、Ｙ信号は、輪郭調整回路により輪郭強調処理される。ＹＣ処理部２３５ａ、２３５ｂで処理されたＹＣ信号は、それぞれワークメモリ２２４ａ、２２４ｂに蓄えられる。
【０２１１】
上記のようにしてバッファメモリ２３２ａ、２３２ｂに蓄えられたＹＣ信号は、圧縮伸張処理回路２３６ａ、２３６ｂによって圧縮され、所定のフォーマットの画像ファイルとして、Ｉ／Ｆ２３９を介して記憶メディア３１に記録される。本例の複眼デジタルカメラ１の場合、静止画の２次元画像のデータは、Ｅｘｉｆ規格に従った画像ファイルとして記憶メディア３１に格納される。Ｅｘｉｆファイルは、主画像のデータを格納する領域と、縮小画像（サムネイル画像）のデータを格納する領域とを有している。撮影によって取得された主画像のデータから画素の間引き処理その他の必要なデータ処理を経て、規定サイズ（例えば、１６０×１２０又は８０×６０ピクセルなど）のサムネイル画像が生成される。こうして生成されたサムネイル画像は、主画像とともにＥｘｉｆファイル内に書き込まれる。また、Ｅｘｉｆファイルには、撮影日時、撮影条件、輻輳角、基線長、顔検出情報等のタグ情報が付属されている。動画のデータは、ＭＰＥＧ２、ＭＰＥＧ４、Ｈ．２６４方式等の所定の圧縮形式に従って圧縮処理が施されて記憶メディア３１に格納される。
【０２１２】
このようにして記憶メディア３１に記録された画像データは、投影機能付き複眼デジタルカメラ４のモードを再生モードに設定することにより、モニタ３２に再生表示されたり外部の投影面に投影表示されたりする。再生モード及び投影モードへの移行は、ユーザーが操作部１１２を操作することにより行われる。
【０２１３】
まず、モニタ３２に再生表示する場合について説明する。再生モードが選択されると、記憶メディア３１に記録されている最終コマの画像ファイルがＩ／Ｆ２３９を介して読み出される。この読み出された画像ファイルの圧縮データは、圧縮伸張処理回路２３６ａ、２３６ｂを介して非圧縮のＹＣ信号に伸長される。
【０２１４】
伸長されたＹＣ信号は、バッファメモリ２３２ａ、２３２ｂ（又は図示しないＶＲＡＭ）に保持され、コントローラ２３４によって表示用の信号形式に変換されてモニタ３２に出力される。これにより、モニタ３２には記憶メディア３１に記録されている最終コマの画像が表示される。
【０２１５】
その後、順コマ送りスイッチ（十字キーの右キー）が押されると、順方向にコマ送りされ、逆コマ送りスイッチ（十字キーの左キー）が押されると、逆方向にコマ送りされる。そして、コマ送りされたコマ位置の画像ファイルが記憶メディア３１から読み出され、上記と同様にして画像がモニタ３２に再生される。なお、３次元画像の再生については、後で詳述する。
【０２１６】
モニタ３２に再生表示された画像を確認しながら、必要に応じて、記憶メディア３１に記録された画像を消去することができる。画像の消去は、画像がモニタ３２に再生表示された状態でフォトモードボタンが押下されることによって行われる。
【０２１７】
次に、外部の投影面に投影表示する場合について、図１５を用いて説明する。なお、画像のコマ送り、消去などについては、モニタ３２に再生表示する場合と同様であるため、説明を省略する。
【０２１８】
投影モードが選択されると、まず、図示しない駆動手段を介して反射光学素子５３１が略４５度傾いた状態に設置され、光源５２１、５２２から照射された光がレンズ群１３１に導かれるように光軸が切り替えられる（ステップＳ２１）。
【０２１９】
ＣＰＵ１１０により、記憶メディア３１に記録された記録されている最終コマの画像ファイルがＩ／Ｆ２３９を介して読み出される（ステップＳ２２）。そして、ステップＳ１で読み出された画像ファイルが立体画像であるかどうか、すなわち撮像素子５０１及び５０２で撮影された画像が共に含まれた画像ファイルであるかどうかがＣＰＵ１１０により判断される（ステップＳ２３）。
【０２２０】
立体画像が読み出された場合（ステップＳ２３でＹＥＳ）には、投影機能付き複眼デジタルカメラ４の投影モードが立体画像を投影する３Ｄモードへ切り替えられ（ステップＳ２４）、基線長／輻輳角制御手段２５５は、基線長／輻輳角駆動手段２５６ａ、２５６ｂを介してレンズユニット１４１，１４２がそれぞれ駆動し、レンズユニット１４１，１４２の基線長及び輻輳角が読み出された画像ファイルの撮影時の基線長及び輻輳角とされる（ステップＳ２５）。なお、撮影時の基線長及び輻輳角は、画像データと共に読み出される。
【０２２１】
そして、画像ファイルが圧縮伸張処理回路２３６ａ、２３６ｂを介して非圧縮のＹＣ信号に伸長され、伸長されたデータは立体画像データに変換され、その立体画像データがＬＣＤドライバ２２３ａ、２２３ｂを介して再生画像として再生画像パネル５４１、５４２に出力される。それと同時に光源５２１、５２２からレーザー光が再生画像パネル５４１、５４２に照射され、レーザー光が投影画像光に変調される。変調された投影画像光は、反射光学素子５３１、５３２によりそれぞれ略９０度屈曲され、レンズ群１３１、１３２にそれぞれ導かれ、レンズ群１３１、１３２によりそれぞれ外部の投影面に投影される（ステップＳ２６）。これにより、立体画像の投影が終了される。
【０２２２】
立体画像が読み出されなかった場合、すなわち撮像素子５０１又は撮像素子５０２のみで撮影された画像が読み出された場合（ステップＳ２３でＮＯ）には、投影機能付き複眼デジタルカメラ４の投影モードが２次元画像を投影する２Ｄモードへ切り替えられる（ステップＳ２７）。以下、撮像素子５０１で撮影された画像が読み出された場合を例に説明する。
【０２２３】
画像ファイルが圧縮伸張処理回路２３６ａを介して非圧縮のＹＣ信号に伸長され、伸長された画像データがＬＣＤドライバ２２３ａを介して再生画像として再生画像パネル５４１に出力される。それと同時に光源５２１からレーザー光が再生画像パネル５４１に照射され、レーザー光が投影画像光に変調される。変調された投影画像光は、反射光学素子５３１により略９０度屈曲され、レンズ群１３１に導かれ、レンズ群１３１により外部の投影面に投影される（ステップＳ２８）。これにより、２次元画像の投影が終了される。
【０２２４】
本実施の形態によれば、立体画像の撮影、投影を容易に行うことができ、撮影及び投影の自由度を上げて、ユーザーが使用し易い投影機能付き複眼デジタルカメラを提供することができる。
【０２２５】
また、本実施の形態によれば、同一の光学系と撮影及び投影に用いることにより、レンズ部のコストダウンを図り、装置本体を小型化することができる。また、撮影光軸と投影光軸とがクロスするように撮像素子や投影部（光源、再生画像パネルなど）を配設することで、装置本体を小型化することができる。
【０２２６】
なお、本実施の形態では、２個のレンズユニットを用いた場合を例に説明したが、図１６に示すように、３個のレンズユニットを用いてもよいし、３個以上のレンズユニットを用いてもよい。
【０２２７】
また、本実施の形態では、立体画像を撮影、投影する場合を例に説明したが、パノラマ画像の撮影、投影も可能である。パノラマ画像を撮影する場合には、図１７に示すように、撮像素子５０１’、撮像素子５０２’及び撮像素子５０３’で撮影された画像の一部がそれぞれ重なるように撮影及び投影をすることで、より綺麗なパノラマ画像を撮影、投影することができる。また、立体画像やパノラマ画像のように、複数の画像データから１枚の画像が生成される場合のみでなく、複数の画像データをそれぞれ別の画像として同時に撮影、投影するようにしてもよい。
【０２２８】
また、本実施の形態では、複数のレンズユニットを横に並べたが、複数のレンズユニットをそれぞれ別方向に配設してもよい。図１８は、４個のレンズユニットを前後左右の４方向に配設した投影機能付き複眼デジタルカメラ４’’を示し、（ａ）は外観図であり、（ｂ）は断面図である。レンズユニット１４４が左面に配設され、レンズユニット１４５が正面に配設され、レンズユニット１４６が右面に配設され、レンズユニット１４７が前面に配設されている。なお、レンズユニット１４４、１４５、１４６、１４７に対応する撮像素子等の配置等の構造、作用は同様であるため、レンズユニット１４５の場合を例に説明する。
【０２２９】
レンズユニット１４５の光軸上には、主として撮像素子５０５が配設されており、レンズユニット１４５により撮像素子５０５に被写体像が結像される。また、撮影光軸と略９０度の角度で交差する投影光軸上には、主として、光源５２５と、再生画像パネル５４５と、光軸を略９０度屈曲させる反射光学素子５３５と、投影レンズ１５５とが配設されており、光源５２４から照射され、再生画像パネル５４４を透過した投影画像が、反射光学素子で略９０度屈曲され、投影レンズを介して外部の投影面に投影される。
【０２３０】
これにより、図１９に示すように、投影機能付き複眼デジタルカメラ４’’の本体を中心とした全方向（全周型または全球型）の画像の撮影又は投影を容易に行うことができる。また、撮影光路と投影光路とが分離されているため、再生時の再現力高くすることができる。
【０２３１】
なお、投影機能付き複眼デジタルカメラにおいても、図２０に示すように、レンズユニットに撮像素子を取り付けた撮影レンズユニットと、光源及び再生画像パネルが取り付けられた投影レンズユニットとを用意し、カメラ本体に配設された複数のマウントを介してレンズユニットを交換できるようにしてもよい。
【０２３２】
なお、本発明の適用は、デジタルカメラに限定されるものではなく、カメラ付き携帯電話機やビデオカメラ等の撮像装置にも同様に適用することができる。
【０２３３】
また、本発明は、静止画のみでなく、動画にも適用することができる。動画を撮影するか、静止画を撮影するかは、シャッターボタン２６が押された時間により制御される。また、動画、静止画のモードセレクトＳＷやメニューにより、動画、静止画の切り替えを行うようにしてもよい。
【図面の簡単な説明】
【０２３４】
【図１】本発明が適用された第１の実施の形態の投影機能付きデジタルカメラ１の斜視図である。
【図２】上記投影機能付きデジタルカメラ１の背面図である。
【図３】上記投影機能付きデジタルカメラ１の要部断面図であり、（ａ）は投影機能付きデジタルカメラ１を底面と平行な面で切断したものを上から見た場合の概略を示し、（ｂ）は投影機能付きデジタルカメラ１を側面と平行な面で切断したものを横から見た場合の概略を示す。
【図４】上記投影機能付きデジタルカメラ１の概略構成を示すブロック図である。
【図５】本発明が適用された第２の実施の形態の投影機能付きデジタルカメラ２を側面と平行な面で切断したものを横から見た場合の概略を示した断面図である。
【図６】上記投影機能付きデジタルカメラ２の別の例である。
【図７】本発明が適用された第３の実施の形態の投影機能付きレンズ交換式デジタルカメラ３の分解斜視図である。
【図８】上記投影機能付きレンズ交換式デジタルカメラ３のレンズユニット１４ｂの要部断面図であり、（ａ）は撮影レンズユニット１４ｂ−１を示し、（ｂ）は投影レンズユニット１４ｂ−２を示す。
【図９】上記投影機能付きレンズ交換式デジタルカメラ３の処理の流れを示すフローチャートである。
【図１０】上記投影機能付きレンズ交換式デジタルカメラ３のレンズユニット１４ｂの別の例の要部断面図であり、（ａ）は撮影レンズユニット１４ｂ−１’を示し、（ｂ）は投影レンズユニット１４ｂ−２’を示す。
【図１１】上記投影機能付きレンズ交換式デジタルカメラ３の別の例（屈曲光学系を使用）であり、（ａ）はカメラ本体３ａ’の斜視図であり、（ｂ）は撮影レンズユニット１４ｂ−１’’が取り付けられた場合の要部断面図であり、（ｃ）は投影レンズユニット１４ｂ−２’’が取り付けられた場合の要部断面図を示す。
【図１２】本発明が適用された第４の実施の形態の投影機能付き複眼デジタルカメラ４の正面図である。
【図１３】上記投影機能付き複眼デジタルカメラ４の要部断面図であり、（ａ）は投影機能付き複眼デジタルカメラ４を底面と平行な面で切断したものを上から見た場合の概略を示し、（ｂ）は投影機能付き複眼デジタルカメラ４を側面と平行な面で切断したものを横から見た場合の概略を示す。
【図１４】上記投影機能付き複眼デジタルカメラ４の概略構成を示すブロック図である。
【図１５】上記投影機能付き複眼デジタルカメラ４の処理の流れを示すフローチャートである。
【図１６】上記投影機能付き複眼デジタルカメラ４の別の例である。
【図１７】上記投影機能付き複眼デジタルカメラ４により投影された画像の一例である。
【図１８】上記投影機能付き複眼デジタルカメラ４の別の例であり、（ａ）は正面図であり、（ｂ）は要部断面図である。
【図１９】上記投影機能付き複眼デジタルカメラ４の別の例により投影された画像の一例である。
【図２０】上記投影機能付き複眼デジタルカメラ４の別の例である。
【符号の説明】
【０２３５】
１２、１２０…カメラボディ、１４、１４ｂ、１４１、１４２…レンズ、１６、１６１、１６２…ストロボ、１８…ファインダ窓、２０…セルフタイマランプ、２２…ＡＦ補助光ランプ、２４…ストロボ調光センサ、２６…シャッターボタン、２８…電源／モードスイッチ、３０…モードダイヤル、３２…モニタ、３４…ファインダ接眼部、３６…スピーカー、３８…ズームボタン、４０…十字ボタン、４２…ＭＥＮＵ／ＯＫボタン、４４…ＤＩＳＰボタン、４６…ＢＡＣＫボタン、４８、６８…電池、５０５０１、５０２…撮像素子、５２、５２１、５２２…光源、５４、５４１、５４２…再生画像パネル、５６…操作系基板、５８…メイン基板、６０…レール、６２、６４…センサ、６６…バネ、１１０…ＣＰＵ、１１２…操作部、１１６…ＲＯＭ、１１８…ＥＥＰＲＯＭ、１２１…メモリ（ＳＤＲＡＭ）、１２２…ＶＲＡＭ、１２６…タイミングジェネレータ（ＴＧ）、１２７…絞り駆動部、１２８…アナログ処理部（ＣＤＳ／ＡＭＰ）、１２９…レンズ駆動部、１３６…ビデオエンコーダ、１３８…ＡＦ検出部、１３９…ＡＥ／ＡＷＢ検出部、１５１…メディア制御部、１５２…記憶メディア、１６０…ストロボ発光制御部、１７０…Ａ／Ｄ変換器、１７２…画像入力制御部、１７４…画像信号処理部、１７５…圧縮伸張処理部、５３１…反射光学素子
【図１】
2009100183.tif 000003
【図２】
2009100183.tif 000004
【図３】
2009100183.tif 000005
【図４】
2009100183.tif 000006
【図５】
2009100183.tif 000007
【図６】
2009100183.tif 000008
【図７】
2009100183.tif 000009
【図８】
2009100183.tif 000010
【図９】
2009100183.tif 000011
【図１０】
2009100183.tif 000012
【図１１】
2009100183.tif 000013
【図１２】
2009100183.tif 000014
【図１３】
2009100183.tif 000015
【図１４】
2009100183.tif 000016
【図１５】
2009100183.tif 000017
【図１６】
2009100183.tif 000018
【図１７】
2009100183.tif 000019
【図１８】
2009100183.tif 000020
【図１９】
2009100183.tif 000021
【図２０】
2009100183.tif 000022